(57)【要約】  本願はセカンダリ・セルをアクティベートする方法、通信装置、及びネットワーク・デバイスを提供する。方法は：ネットワーク・デバイスにより送信されたセカンダリ・セルのアクティベーション・コマンドを受信した後に、第１時間ユニットから第１周期を利用して第１アップリンク信号をネットワーク・デバイスへ、端末デバイスにより送信するステップ；第２時間ユニットを決定するステップ；第２時間ユニットの後にネットワーク・デバイスのスケジューリングに基づいて又は第２周期を利用して第２アップリンク信号をネットワーク・デバイスへ送信するステップであって、第２周期は第１周期より長い、ステップを含む。本願で提供されるセカンダリ・セルをアクティベートする方法によれば、セカンダリ・セル・アクティベーション・プロセスにおいて、アップリンク信号は比較的短周期で送信されることが可能であり、セカンダリ・セルがアクティベートされた後に、アップリンク信号は比較的長周期において又はスケジューリングに基づいて送信されることが可能であり、それによりネットワーク・リソース消費及びアクティベーション遅延がセカンダリ・セル・アクティベート・プロセスにおいてアンバランスであるという問題を解決し、データ伝送効率及びユーザー体験を向上させる。
2020530735.tif 000002
【特許請求の範囲】
【請求項１】
セカンダリ・セルをアクティベートする方法であって：
ネットワーク・デバイスにより送信されたセカンダリ・セルのアクティベーション・コマンドを受信した後に、第１時間ユニットから第１周期を利用して第１アップリンク信号を前記ネットワーク・デバイスへ、端末デバイスにより送信するステップ；
前記端末デバイスにより、第２時間ユニットを決定するステップであって、前記第２時間ユニットは、最大アクティベーション時間が満了する時間ユニット、又は前記ネットワーク・デバイスにより送信されたスケジューリング・コマンドが受信される時間ユニットである、ステップ；及び
前記第２時間ユニットの後に前記ネットワーク・デバイスのスケジューリングに基づいて又は第２周期を利用して第２アップリンク信号を前記ネットワーク・デバイスへ、前記端末デバイスにより送信するステップであって、前記第２周期は前記第１周期より長い、ステップ；
を含む方法。
【請求項２】
前記端末デバイスが前記セカンダリ・セルの前記アクティベーション・コマンドを受信する前に、前記方法は：
前記ネットワーク・デバイスにより送信された前記セカンダリ・セルのコンフィギュレーション・メッセージを、前記端末デバイスにより受信するステップであって、前記コンフィギュレーション・メッセージは、前記第２周期のコンフィギュレーション情報、前記ネットワーク・デバイスの前記スケジューリングのコンフィギュレーション情報、及び前記第１周期のコンフィギュレーション情報のうちの少なくとも１つを含む、ステップ；
を更に含む、請求項１に記載の方法。
【請求項３】
前記第１アップリンク信号は、第１チャネル状態情報ＣＳＩ及び／又は第１サウンディング・リファレンス信号ＳＲＳを含み、前記第２アップリンク信号は、第２ＣＳＩ及び／又は第２ＳＲＳを含む、請求項１又は２に記載の方法。
【請求項４】
前記第１時間ユニットは、前記端末デバイスが前記第１アップリンク信号を前記ネットワーク・デバイスへ送信することが可能な時間ユニットである、請求項１−３のうちの何れか１項に記載の方法。
【請求項５】
セカンダリ・セルをアクティベートする方法であって：
ネットワーク・デバイスがセカンダリ・セルのアクティベーション・コマンドを端末デバイスへ送信した後に、第１時間ユニットから第１周期を利用して、前記端末デバイスにより送信された第１アップリンク信号を、前記ネットワーク・デバイスにより受信するステップ；
前記ネットワーク・デバイスにより、第２時間ユニットを決定するステップであって、前記第２時間ユニットは、最大アクティベーション時間が満了する時間ユニット、又はスケジューリング・コマンドが前記端末デバイスへ送信される時間ユニットである、ステップ；及び
前記第２時間ユニットの後に前記ネットワーク・デバイスのスケジューリングに基づいて又は第２周期を利用して、前記端末デバイスにより送信された第２アップリンク信号を、前記ネットワーク・デバイスにより受信するステップであって、前記第２周期は前記第１周期より長い、ステップ；
を含む方法。
【請求項６】
前記ネットワーク・デバイスが前記セカンダリ・セルの前記アクティベーション・コマンドを前記端末デバイスへ送信する前に、前記方法は：
前記ネットワーク・デバイスにより、前記セカンダリ・セルのコンフィギュレーション・メッセージを前記端末デバイスへ送信するステップであって、前記コンフィギュレーション・メッセージは、前記第２周期のコンフィギュレーション情報、前記ネットワーク・デバイスの前記スケジューリングのコンフィギュレーション情報、及び前記第１周期のコンフィギュレーション情報のうちの少なくとも１つを含む、ステップ；
を更に含む、請求項５に記載の方法。
【請求項７】
前記第１アップリンク信号は、第１チャネル状態情報ＣＳＩ及び／又は第１サウンディング・リファレンス信号ＳＲＳを含み、前記第２アップリンク信号は、第２ＣＳＩ及び／又は第２ＳＲＳを含む、請求項５又は６に記載の方法。
【請求項８】
前記第１時間ユニットは、前記端末デバイスが前記第１アップリンク信号を前記ネットワーク・デバイスへ送信することが可能な時間ユニットである、請求項５−７のうちの何れか１項に記載の方法。
【請求項９】
セカンダリ・セルをアクティベートする方法であって：
ネットワーク・デバイスにより、セカンダリ・セルのアクティベーション・コマンドを端末デバイスへ第３時間ユニットで送信するステップ；
前記第３時間ユニットから第１周期を利用して、第１パイロット信号を前記端末デバイスへ、前記ネットワーク・デバイスにより送信するステップ；
前記ネットワーク・デバイスにより、第４時間ユニットを決定するステップであって、前記第４時間ユニットは、最大アクティベーション時間が満了する時間ユニット、又は前記ネットワーク・デバイスがスケジューリング・コマンドを前記端末デバイスへ送信する時間ユニットである、ステップ；及び
前記第４時間ユニットの後に第２周期を利用して、第２パイロット信号を前記端末デバイスへ、前記ネットワーク・デバイスにより送信するステップであって、前記第２周期は前記第１周期より長い、ステップ；
を含む方法。
【請求項１０】
前記ネットワーク・デバイスが前記セカンダリ・セルの前記アクティベーション・コマンドを送信する前に、前記方法は：
前記ネットワーク・デバイスにより、前記セカンダリ・セルのコンフィギュレーション・メッセージを前記端末デバイスへ送信するステップであって、前記コンフィギュレーション・メッセージは、前記第１周期のコンフィギュレーション情報、及び前記第２周期のコンフィギュレーション情報を含む、ステップ；
を更に含む請求項９に記載の方法。
【請求項１１】
前記第１パイロット信号は第１復調リファレンス信号ＤＭＲＳ及び／又は第１ビーム・パイロット信号を含み、前記第２パイロット信号は第２ＤＭＲＳ及び／又は第２ビーム・パイロット信号を含む、請求項９又は１０に記載の方法。
【請求項１２】
セカンダリ・セルをアクティベートする方法であって：
ネットワーク・デバイスにより送信されたセカンダリ・セルのアクティベーション・コマンドを、第３時間ユニットで端末デバイスにより受信するステップ；
前記第３時間ユニットから第１周期を利用して、前記ネットワーク・デバイスにより送信された第１パイロット信号を、前記端末デバイスにより受信するステップ；
前記端末デバイスにより、第４時間ユニットを決定するステップであって、前記第４時間ユニットは、最大アクティベーション時間が満了する時間ユニット、又は前記ネットワーク・デバイスにより送信されたスケジューリング・コマンドを前記端末デバイスが受信する時間ユニットである、ステップ；及び
前記第４時間ユニットの後に第２周期を利用して、前記ネットワーク・デバイスにより送信された第２パイロット信号を、前記端末デバイスにより受信するステップであって、前記第２周期は前記第１周期より長い、ステップ；
を含む方法。
【請求項１３】
前記端末デバイスが、前記ネットワーク・デバイスにより送信された前記セカンダリ・セルの前記アクティベーション・コマンドを受信する前に、前記方法は：
前記ネットワーク・デバイスにより送信された前記セカンダリ・セルのコンフィギュレーション・メッセージを、前記端末デバイスにより受信するステップであって、前記コンフィギュレーション・メッセージは、前記第１周期のコンフィギュレーション情報、及び前記第２周期のコンフィギュレーション情報を含む、ステップ；
を更に含む請求項１２に記載の方法。
【請求項１４】
前記第１パイロット信号は第１復調リファレンス信号ＤＭＲＳ及び／又は第１ビーム・パイロット信号を含み、前記第２パイロット信号は第２ＤＭＲＳ及び／又は第２ビーム・パイロット信号を含む、請求項１２又は１３に記載の方法。
【請求項１５】
プロセッサと、トランシーバと、メモリとを含む通信装置であって、前記メモリは命令を格納するように構成され、前記プロセッサは、前記メモリに格納された前記命令を実行し、信号を受信又は送信するように前記トランシーバを制御するように構成され；
前記トランシーバは、ネットワーク・デバイスにより送信されたセカンダリ・セルのアクティベーション・コマンドを受信した後に、第１時間ユニットから第１周期を利用して第１アップリンク信号を前記ネットワーク・デバイスへ送信するように構成され；
前記プロセッサは、第２時間ユニットを決定するように構成され、前記第２時間ユニットは、最大アクティベーション時間が満了する時間ユニット、又は前記ネットワーク・デバイスにより送信されたスケジューリング・コマンドが受信される時間ユニットであり；及び
前記トランシーバは、前記第２時間ユニットの後に前記ネットワーク・デバイスのスケジューリングに基づいて又は第２周期を利用して第２アップリンク信号を前記ネットワーク・デバイスへ送信するように更に構成され、前記第２周期は前記第１周期より長い、通信装置。
【請求項１６】
前記セカンダリ・セルの前記アクティベーション・コマンドを受信する前に、前記トランシーバは、前記ネットワーク・デバイスにより送信された前記セカンダリ・セルのコンフィギュレーション・メッセージを受信するように更に構成され、前記コンフィギュレーション・メッセージは、前記第２周期のコンフィギュレーション情報、前記ネットワーク・デバイスの前記スケジューリングのコンフィギュレーション情報、及び前記第１周期のコンフィギュレーション情報のうちの少なくとも１つを含む、請求項１５に記載の通信装置。
【請求項１７】
前記トランシーバにより送信される前記第１アップリンク信号は、第１チャネル状態情報ＣＳＩ及び／又は第１サウンディング・リファレンス信号ＳＲＳを含み、前記トランシーバにより送信される前記第２アップリンク信号は、第２ＣＳＩ及び／又は第２ＳＲＳを含む、請求項１５又は１６に記載の通信装置。
【請求項１８】
前記第１時間ユニットは、前記通信装置が前記第１アップリンク信号を前記ネットワーク・デバイスへ送信することが可能な時間ユニットである、請求項１５−１７のうちの何れか１項に記載の通信装置。
【請求項１９】
プロセッサと、トランシーバと、メモリとを含むネットワーク・デバイスであって、前記メモリは命令を格納するように構成され、前記プロセッサは、前記メモリに格納された前記命令を実行し、信号を受信又は送信するように前記トランシーバを制御するように構成され；
前記トランシーバは、セカンダリ・セルのアクティベーション・コマンドを端末デバイスへ送信した後に、第１時間ユニットから第１周期を利用して、前記端末デバイスにより送信された第１アップリンク信号を受信するように構成され；
前記プロセッサは、第２時間ユニットを決定するように構成され、前記第２時間ユニットは、最大アクティベーション時間が満了する時間ユニット、又はスケジューリング・コマンドが前記端末デバイスへ送信される時間ユニットであり；及び
前記トランシーバは、前記第２時間ユニットの後に前記ネットワーク・デバイスのスケジューリングに基づいて又は第２周期を利用して、前記端末デバイスにより送信された第２アップリンク信号を受信するように更に構成され、前記第２周期は前記第１周期より長い、ネットワーク・デバイス。
【請求項２０】
前記セカンダリ・セルの前記アクティベーション・コマンドを送信する前に、前記トランシーバは、前記セカンダリ・セルのコンフィギュレーション・メッセージを前記端末デバイスへ送信するように更に構成され、前記コンフィギュレーション・メッセージは、前記第２周期のコンフィギュレーション情報、前記ネットワーク・デバイスの前記スケジューリングのコンフィギュレーション情報、及び前記第１周期のコンフィギュレーション情報のうちの少なくとも１つを含む、請求項１９に記載のネットワーク・デバイス。
【請求項２１】
前記トランシーバにより受信される前記第１アップリンク信号は、第１チャネル状態情報ＣＳＩ及び／又は第１サウンディング・リファレンス信号ＳＲＳを含み、前記トランシーバにより受信される前記第２アップリンク信号は、第２ＣＳＩ及び／又は第２ＳＲＳを含む、請求項１９又は２０に記載のネットワーク・デバイス。
【請求項２２】
前記第１時間ユニットは、前記端末デバイスが前記第１アップリンク信号を前記ネットワーク・デバイスへ送信することが可能な時間ユニットである、請求項１９−２１うちの何れか１項に記載のネットワーク・デバイス。
【請求項２３】
プロセッサと、トランシーバと、メモリとを含むネットワーク・デバイスであって、前記メモリは命令を格納するように構成され、前記プロセッサは、前記メモリに格納された前記命令を実行し、信号を受信又は送信するように前記トランシーバを制御するように構成され；
前記トランシーバは、セカンダリ・セルのアクティベーション・コマンドを端末デバイスへ第３時間ユニットで送信するように構成され；
前記トランシーバは、前記第３時間ユニットから第１周期を利用して、第１パイロット信号を前記端末デバイスへ送信するように更に構成され；
前記プロセッサは、第４時間ユニットを決定するように構成され、前記第４時間ユニットは、最大アクティベーション時間が満了する時間ユニット、又は前記ネットワーク・デバイスがスケジューリング・コマンドを前記端末デバイスへ送信する時間ユニットであり；及び
前記トランシーバは、前記第４時間ユニットの後に第２周期を利用して、第２パイロット信号を前記端末デバイスへ送信するように更に構成され、前記第２周期は前記第１周期より長い、ネットワーク・デバイス。
【請求項２４】
前記セカンダリ・セルの前記アクティベーション・コマンドを送信する前に、前記トランシーバは、前記セカンダリ・セルのコンフィギュレーション・メッセージを前記端末デバイスへ送信するように更に構成され、前記コンフィギュレーション・メッセージは、前記第１周期のコンフィギュレーション情報、及び前記第２周期のコンフィギュレーション情報を含む、請求項２３に記載のネットワーク・デバイス。
【請求項２５】
前記トランシーバにより送信される前記第１パイロット信号は第１復調リファレンス信号ＤＭＲＳ及び／又は第１ビーム・パイロット信号を含み、前記トランシーバにより送信される前記第２パイロット信号は第２ＤＭＲＳ及び／又は第２ビーム・パイロット信号を含む、請求項２３又は２４に記載のネットワーク・デバイス。
【請求項２６】
プロセッサと、トランシーバと、メモリとを含む通信装置であって、前記メモリは命令を格納するように構成され、前記プロセッサは、前記メモリに格納された前記命令を実行し、信号を受信又は送信するように前記トランシーバを制御するように構成され；
前記トランシーバは、ネットワーク・デバイスにより送信されたセカンダリ・セルのアクティベーション・コマンドを、第３時間ユニットで受信するように構成され；
前記トランシーバは、前記第３時間ユニットから第１周期を利用して、前記ネットワーク・デバイスにより送信された第１パイロット信号を受信するように更に構成され；
前記プロセッサは、第４時間ユニットを決定するように構成され、前記第４時間ユニットは、最大アクティベーション時間が満了する時間ユニット、又は前記ネットワーク・デバイスにより送信されたスケジューリング・コマンドを前記通信装置が受信する時間ユニットであり；及び
前記トランシーバは、前記第４時間ユニットの後に第２周期を利用して、前記ネットワーク・デバイスにより送信された第２パイロット信号を受信するように更に構成され、前記第２周期は前記第１周期より長い、通信装置。
【請求項２７】
前記セカンダリ・セルの前記アクティベーション・コマンドを受信する前に、前記トランシーバは、前記ネットワーク・デバイスにより送信された前記セカンダリ・セルのコンフィギュレーション・メッセージを受信するように更に構成され、前記コンフィギュレーション・メッセージは、前記第１周期のコンフィギュレーション情報、及び前記第２周期のコンフィギュレーション情報を含む、請求項２６に記載の通信装置。
【請求項２８】
前記トランシーバにより送信される前記第１パイロット信号は第１復調リファレンス信号ＤＭＲＳ及び／又は第１ビーム・パイロット信号を含み、前記トランシーバにより送信される前記第２パイロット信号は第２ＤＭＲＳ及び／又は第２ビーム・パイロット信号を含む、請求項２６又は２７に記載の通信装置。
【請求項２９】
コンピュータ・プログラムを格納するように構成されたコンピュータ読み取り可能な記憶媒体であって、前記コンピュータ・プログラムは、請求項１−１４のうちの何れか１項に記載のセカンダリ・セルをアクティベートする方法の命令を実行するために使用される、記憶媒体。
【請求項３０】
少なくとも１つのプロセッサ及びメモリを含む通信装置であって、前記メモリはコンピュータ・プログラムを格納し、前記少なくとも１つのプロセッサは、請求項１−１４のうちの何れか１項に記載の方法を実現するように前記コンピュータ・プログラムを実行する、通信装置。
【発明の詳細な説明】
【技術分野】
【０００１】
本願は通信分野に関連し、より具体的には通信分野におけるセカンダリ・セルをアクティベートする方法、通信装置、及びネットワーク・デバイスに関連する。
【背景技術】
【０００２】
無線ネットワーク通信において、ユーザー装置（ｕｓｅｒ  ｅｑｕｉｐｍｅｎｔ，ＵＥ）にとって、プライマリ・セル（ｐｒｉｍａｒｙ  ｃｅｌｌ，ＰＣｅｌｌ）は、プライマリ周波数バンドで動作するセルである。ＵＥが初期接続確立プロセスを実行するか、又はセル内で接続再確立プロセスを開始する場合、セルはプライマリ・セルとして指定される。セカンダリ・セル（ｓｅｃｏｎｄａｒｙ  ｃｅｌｌ，ＳＣｅｌｌ）は、セカンダリ周波数バンドで動作するセルである。初期セキュリティ・アクティベーション手順（ｉｎｉｔｉａｌ  ｓｅｃｕｒｉｔｙ  ａｃｔｉｖａｔｉｏｎ  ｐｒｏｃｅｄｕｒｅ）の後、セカンダリ・セルは、無線リソース制御（ｒａｄｉｏ  ｒｅｓｏｕｒｃｅ  ｃｏｎｔｒｏｌ，ＲＲＣ）接続リコンフィギュレーション・メッセージを使用することにより、追加／変更／解放される。ＲＲＣ接続が確立されると、セカンダリ・セルは、追加の無線リソースを提供するように構成されることが可能である。
【０００３】
現在、セカンダリ・セル・アクティベーション・プロセスにおいて、端末デバイスは、先ず、ネットワーク・デバイスにより送信されたＲＲＣ接続リコンフィギュレーション・メッセージを受信し、ＲＲＣ接続リコンフィギュレーション・メッセージがセカンダリ・セル追加シグナリングを含む場合、端末デバイスは、ＲＲＣ接続リコンフィギュレーション・メッセージにおけるキャリアをセカンダリ・セルとして追加する。続いて、端末デバイスは、アクティベーション・プロセスが始まることを示す、セカンダリ・セルに対するアクティベーション・コマンドを受信する。ハードウェアの準備作業、具体的にはアクティベーション・プロセスを完了した後、端末デバイスはネットワーク・デバイスにアップリンク（ｕｐｌｉｎｋ，ＵＬ）信号を送信し、セカンダリ・セルが首尾よくアクティベートされたことをネットワーク・デバイスに通知する。アップリンク信号を正しく受信した後、ネットワーク・デバイスは、スケジューリング・コマンド（シグナリング又はデータ）を端末デバイスへ送信する。シグナリング又はデータは、データを受信又は送信するように端末デバイスに指示するために使用される。そして、アップリンク信号は、ＲＲＣ接続リコンフィギュレーション・メッセージの構成情報に基づいて送信され続ける。あるいは、端末デバイスに対してアップリンク信号を送信するためのリソースが設定されていない場合や、設定されたアップリンク信号の送信周期が比較的長い場合、ネットワーク・デバイスもまた、システムで設定されている最大アクティベーション時間が経過した後に、端末デバイスにシグナリング又はデータを送信する。アップリンク信号の送信周期が比較的長い場合、アクティベーション遅延は比較的大きい。アップリンク信号の送信周期が比較的短い場合、アップリンク信号を送信するために多くのネットワーク・リソースが消費される。
【発明の概要】
【０００４】
本願はセカンダリ・セルをアクティベートする方法、通信装置、及びネットワーク・デバイスを提供し、その結果、セカンダリ・セル・アクティベーション・プロセスにおいて、アップリンク信号は比較的短い周期で送信されることが可能であり、セカンダリ・セルがアクティベートされた後、アップリンク信号は、比較的長い周期で又はスケジューリングに基づいて送信されることが可能であり、それにより、ネットワーク・リソースの消費及びアクティベーション遅延が、セカンダリ・セル・アクティベーション・プロセスにおいて又はセカンダリ・セルがアクティベートされた後にアンバランスであるという問題を解決し、データ伝送効率及びユーザー体験を向上させる。
【０００５】
第１態様によれば、セカンダリ・セルをアクティベートする方法が提供され、方法は：ネットワーク・デバイスにより送信されたセカンダリ・セルのアクティベーション・コマンドを受信した後に、第１時間ユニットから第１周期を利用して第１アップリンク信号をネットワーク・デバイスへ、端末デバイスにより送信するステップ；端末デバイスにより、第２時間ユニットを決定するステップであって、第２時間ユニットは、最大アクティベーション時間が満了する時間ユニット、又はネットワーク・デバイスにより送信されたシグナリング又はデータが受信される時間ユニットである、ステップ；及び第２時間ユニットの後に第２周期を利用して第２アップリンク信号を端末デバイスにより送信するステップを含む。第２周期は第１周期より長い。代替的に、端末デバイスは、第１時間ユニットの後にネットワーク・デバイスのスケジューリングに基づいて、第２アップリンク信号をネットワーク・デバイスへ送信する。
【０００６】
第１態様で提供されるセカンダリ・セルをアクティベートする方法によれば、セカンダリ・セル・アクティベーション・プロセスにおいて、即ち端末デバイスがアクティベーション・コマンドを受信した第１時間ユニットから、端末デバイスがスケジューリング・コマンドを受信した、又は最大アクティベーション時間が経過した時間ユニットまでの期間において、第１アップリンク信号は第１周期でネットワーク・デバイスへ送信され、セカンダリ・セルはアクティベートされていることを通知するために使用される第１アップリンク信号を、ネットワーク・デバイスが受信する確率は増加し、そのため、ネットワーク・デバイスは第１アップリンク信号をより早期に受信し、第１アップリンク信号に基づいて、端末デバイスにスケジューリング・コマンドをより早期に送信することができる。これは、セカンダリ・セルが首尾よくアクティベートされていることを知るためにネットワーク・デバイスによって使用される時間を短縮し、アクティベーション遅延を低減する。スケジューリング・コマンドを受信した後、端末デバイスは、比較的長い第２周期で、又はネットワーク・デバイスのスケジューリングに基づいて、第２アップリンク信号を送信し、第２アップリンク信号を送信するために消費されるネットワーク・リソースは削減され、それによって、ネットワーク・リソースの消費及びアクティベーション遅延が、セカンダリ・セル・アクティベーション・プロセスにおいて、又はセカンダリ・セルがアクティベートされた後にアンバランスであるという問題を解決し、データ伝送効率及びユーザー体験を向上させる。
【０００７】
第１形態の可能な実装において、端末デバイスがセカンダリ・セルのアクティベーション・コマンドを受信する前に、方法は更に：ネットワーク・デバイスにより送信されたセカンダリ・セルのコンフィギュレーション・メッセージを、端末デバイスにより受信するステップであって、コンフィギュレーション・メッセージは、第２周期のコンフィギュレーション情報、ネットワーク・デバイスのスケジューリングのコンフィギュレーション情報、及び第１周期のコンフィギュレーション情報のうちの少なくとも１つである、ステップを含む。
【０００８】
第１形態の可能な実装において、第１アップリンク信号は、第１チャネル状態情報ＣＳＩ及び／又は第１サウンディング・リファレンス信号ＳＲＳを含み、第２アップリンク信号は、第２ＣＳＩ及び／又は第２ＳＲＳを含む。
【０００９】
第１形態の可能な実装において、第１時間ユニットは、端末デバイスが第１アップリンク信号をネットワーク・デバイスへ送信することが可能な時間ユニットである。
【００１０】
第１実装の可能な実装において、第１周期は１ｍｓ又は１ＴＴＩ、１スロット、又は１ｓＴＴＩである。
【００１１】
第２態様によれば、セカンダリ・セルをアクティベートする方法が提供され、方法は：ネットワーク・デバイスがセカンダリ・セルのアクティベーション・コマンドを端末デバイスへ送信した後に、第１時間ユニットから第１周期を利用して、端末デバイスにより送信された第１アップリンク信号を、ネットワーク・デバイスにより受信するステップ；ネットワーク・デバイスにより、第２時間ユニットを決定するステップであって、第２時間ユニットは、最大アクティベーション時間が満了する時間ユニット、又はスケジューリング・コマンドが端末デバイスへ送信される時間ユニットである、ステップ；及び第２時間ユニットの後にネットワーク・デバイスのスケジューリングに基づいて又は第２周期を利用して、端末デバイスにより送信された第２アップリンク信号を、ネットワーク・デバイスにより受信するステップであって、第２周期は第１周期より長い、ステップを含む。
【００１２】
第２態様で提供されるセカンダリ・セルをアクティベートする方法によれば、ネットワーク・デバイスがアクティベーション・コマンドを送信した第１時間ユニットから、ネットワーク・デバイスがスケジューリング・コマンドを送信した、又は最大アクティベーション時間が経過した時間ユニットまでの時間期間において、ネットワーク・デバイスは比較的短い第１周期で第１アップリンク信号を受信し、セカンダリ・セルはアクティベートされていることを通知するために使用される第１アップリンク信号を、ネットワーク・デバイスが受信する確率は増加し、そのため、ネットワーク・デバイスは第１アップリンク信号をより早期に受信することができる。これは、セカンダリ・セルは首尾よくアクティベートされていることを知るためにネットワーク・デバイスによって使用される時間を短縮し、アクティベーション遅延を低減する。スケジューリング・コマンドを送信した後、ネットワーク・デバイスは、比較的長い第２周期で、又はネットワーク・デバイスのスケジューリングに基づいて、第２アップリンク信号を受信し、第２アップリンク信号のために消費されるネットワーク・リソースは削減され、それによって、ネットワーク・リソースの消費及びアクティベーション遅延が、セカンダリ・セル・アクティベーション・プロセスにおいて、又はセカンダリ・セルがアクティベートされた後にアンバランスであるという問題を解決し、データ伝送効率及びユーザー体験を向上させる。
【００１３】
第２態様の可能な実装において、ネットワーク・デバイスがセカンダリ・セルのアクティベーション・コマンドを端末デバイスへ送信する前に、方法は更に：ネットワーク・デバイスにより、セカンダリ・セルのコンフィギュレーション・メッセージを端末デバイスへ送信するステップであって、コンフィギュレーション・メッセージは、第２周期のコンフィギュレーション情報、ネットワーク・デバイスのスケジューリングのコンフィギュレーション情報、及び第１周期のコンフィギュレーション情報のうちの少なくとも１つを含む、ステップを含む。
【００１４】
第２態様の可能な実装において、第１アップリンク信号は、第１チャネル状態情報ＣＳＩ及び／又は第１サウンディング・リファレンス信号ＳＲＳを含み、第２アップリンク信号は、第２ＣＳＩ及び／又は第２ＳＲＳを含む。
【００１５】
第２態様の可能な実装において、第１時間ユニットは、端末デバイスが第１アップリンク信号をネットワーク・デバイスへ送信することが可能な時間ユニットである。
【００１６】
第２実装の可能な実装において、第１周期は１ｍｓ又は１ＴＴＩ、１スロット、又は１ショートＴＴＩである。
【００１７】
第３態様によれば、セカンダリ・セルをアクティベートする方法が提供され、方法は：ネットワーク・デバイスにより、セカンダリ・セルのアクティベーション・コマンドを端末デバイスへ第３時間ユニットで送信するステップ；第３時間ユニットから第１周期を利用して、第１パイロット信号を端末デバイスへ、ネットワーク・デバイスにより送信するステップ；ネットワーク・デバイスにより、第４時間ユニットを決定するステップであって、第４時間ユニットは、最大アクティベーション時間が満了する時間ユニット、又はネットワーク・デバイスがスケジューリング・コマンドを端末デバイスへ送信する時間ユニットである、ステップ；及び第４時間ユニットの後に第２周期を利用して、第２パイロット信号を端末デバイスへ、ネットワーク・デバイスにより送信するステップであって、第２周期は第１周期より長い、ステップを含む。
【００１８】
第３態様で提供されるセカンダリ・セルをアクティベートする方法によれば、セカンダリ・セル・アクティベーション・プロセスにおいて、即ちネットワーク・デバイスがアクティベーション・コマンドを送信し、スケジューリング・コマンドを送信する期間において、ネットワーク・デバイスは、第１パイロット信号を比較的短い周期で端末デバイスへ送信し、端末デバイスがダウンリンク同期に使用される第１パイロット信号を受信する確率は増加し、そのため、端末デバイスはダウンリンク同期をより早期に終了し、更にハードウェア準備作業をより早期に完了することができる。こうして、端末デバイスは、セカンダリ・セルは首尾よくアクティベートされていることを通知するために使用されるアップリンク信号を、ネットワーク・デバイスへより早期に送信することができ、ネットワーク・デバイスはアップリンク信号に基づいてスケジューリング・コマンドをより早期に送信することができる。これは、セカンダリ・セルが首尾よくアクティベートされていることを知るためにネットワーク・デバイスによって使用される時間を短縮し、アクティベーション遅延を低減する。スケジューリング・コマンドを受信した後、ネットワーク・デバイスは、比較的長い第２周期で第２パイロット信号を送信し、そのため、第２パイロット信号のために消費されるネットワーク・リソースは削減され、それにより、ネットワーク・リソースの消費及びアクティベーション遅延が、セカンダリ・セル・アクティベーション・プロセスにおいて、又はセカンダリ・セルがアクティベートされた後にアンバランスであるという問題を解決し、データ伝送効率及びユーザー体験を向上させる。
【００１９】
第３実施形態の可能な実装において、ネットワーク・デバイスがセカンダリ・セルのアクティベーション・コマンドを送信する前に、方法は更に：ネットワーク・デバイスにより、セカンダリ・セルのコンフィギュレーション・メッセージを端末デバイスへ送信するステップであって、コンフィギュレーション・メッセージは、第１周期のコンフィギュレーション情報、及び第２周期のコンフィギュレーション情報を含む、ステップを含む。
【００２０】
第３態様の可能な実装において、第１パイロット信号は第１復調リファレンス信号ＤＭＲＳ及び／又は第１ビーム・パイロット信号を含み、第２パイロット信号は第２ＤＭＲＳ及び／又は第２ビーム・パイロット信号を含む。
【００２１】
第４態様によれば、セカンダリ・セルをアクティベートする方法が提供され、方法は：ネットワーク・デバイスにより送信されたセカンダリ・セルのアクティベーション・コマンドを、第３時間ユニットで端末デバイスにより受信するステップ；第３時間ユニットから第１周期を利用して、ネットワーク・デバイスにより送信された第１パイロット信号を、端末デバイスにより受信するステップ；端末デバイスにより、第４時間ユニットを決定するステップであって、第４時間ユニットは、最大アクティベーション時間が満了する時間ユニット、又はネットワーク・デバイスにより送信されたスケジューリング・コマンドを端末デバイスが受信する時間ユニットである、ステップ；及び第４時間ユニットの後に第２周期を利用して、ネットワーク・デバイスにより送信された第２パイロット信号を、端末デバイスにより受信するステップであって、第２周期は前記第１周期より長い、ステップを含む。
【００２２】
第４態様で提供されるセカンダリ・セルをアクティベートする方法によれば、端末デバイスは、端末デバイスがアクティベーション・コマンド及びスケジューリング・コマンドを受信する期間において比較的短い第１周期で第１パイロット信号を受信し、端末デバイスがダウンリンク同期に使用される第１パイロット信号を受信する確率は増加し、そのため、端末デバイスはダウンリンク同期をより早期に終了し、更にハードウェア準備作業をより早期に完了することができる。こうして、端末デバイスは、セカンダリ・セルは首尾よくアクティベートされていることを通知するために使用されるアップリンク信号を、ネットワーク・デバイスへより早期に送信することができ、セカンダリ・セルは首尾よくアクティベートされていることを知るためにネットワーク・デバイスによって使用される時間は短縮されることが可能であり、アクティベーション遅延は短縮されることが可能である。スケジューリング・コマンドを受信した後、端末デバイスは、比較的長い第２周期で第２パイロット信号を受信し、第２パイロット信号により消費されるネットワーク・リソースは削減され、それにより、ネットワーク・リソースの消費及びアクティベーション遅延が、セカンダリ・セル・アクティベーション・プロセスにおいて、又はセカンダリ・セルがアクティベートされた後にアンバランスであるという問題を解決し、データ伝送効率及びユーザー体験を向上させる。
【００２３】
第４態様の可能な実装において、端末デバイスが、ネットワーク・デバイスにより送信されたセカンダリ・セルのアクティベーション・コマンドを受信する前に、方法は：ネットワーク・デバイスにより送信されたセカンダリ・セルのコンフィギュレーション・メッセージを、端末デバイスにより受信するステップであって、コンフィギュレーション・メッセージは、第１周期のコンフィギュレーション情報、及び第２周期のコンフィギュレーション情報を含む、ステップを含む。
【００２４】
第４態様の可能な実装において、第１パイロット信号は第１復調リファレンス信号ＤＭＲＳ及び／又は第１ビーム・パイロット信号を含み、第２パイロット信号は第２ＤＭＲＳ及び／又は第２ビーム・パイロット信号を含む。
【００２５】
第５態様によれば、セカンダリ・セルをアクティベートする方法が提供され、方法は：ネットワーク・デバイスにより送信された指示情報を、端末デバイスにより受信するステップであって、指示情報は、ＲＲＭメジャーメント、ＣＳＩメジャーメント、ダウンリンク同期、及びハードウェア準備作業のうちの少なくとも１つを開始するように端末デバイスに指示するために使用される、ステップ；ＲＲＭメジャーメント、ダウンリンク同期、及び／又はハードウェア準備作業を実行することを、指示情報に基づいて開始するステップ；指示情報を受信した後に、ネットワーク・デバイスにより送信されたセカンダリ・セルのアクティベーション・コマンドを第１時間ユニットで端末デバイスにより受信するステップ；端末デバイスにより、及び第１時間ユニットから第１周期を利用して第１アップリンク信号をネットワーク・デバイスへ送信するステップを含む。
【００２６】
第５態様で提供されるセカンダリ・セルをアクティベートする方法によれば、端末デバイスは、ネットワーク・デバイスにより送信されたセカンダリ・セルのアクティベーション・コマンドを受信するまで、ハードウェア準備作業を開始することを待機する必要はなく、むしろ、セカンダリ・セルのアクティベーション・コマンドを受信する前であって、ネットワーク・デバイスにより送信された指示情報を受信する前に、ハードウェア準備作業を開始する。指示情報は代替的にアクティベーション・コマンドであってもよい。このように、端末デバイスはハードウェア準備作業をより早期に完了することが可能である。セカンダリ・セルのアクティベーション・コマンドを受信した後、端末デバイスは、第１アップリンク信号をネットワーク・デバイスへ第１周期で送信し、そのため、セカンダリ・セルは首尾よくアクティベートされていることをネットワーク・デバイスはより早期に知ることができ、セカンダリ・セルは首尾よくアクティベートされていることを知るためにネットワーク・デバイスにより使用される時間は短縮され、アクティベーション遅延は短縮され、ネットワーク・デバイスはセカンダリ・セルをより早期にスケジューリングすることができる。
【００２７】
第５態様の可能な実装において、方法は更に：端末デバイスにより第２時間ユニットを決定するステップであって、第２時間ユニットは、最大アクティベーション時間が満了する時間ユニット、又はネットワーク・デバイスにより送信されたスケジューリング・コマンドが受信される時間ユニットである、ステップ；及び第２時間ユニットの後にネットワーク・デバイスのスケジューリングに基づいて又は第２周期を利用して第２アップリンク信号をネットワーク・デバイスへ、端末デバイスにより送信するステップであって、第２周期は第１周期より長い、ステップを含む。この実装では、セカンダリ・セルのアクティベーション・コマンドを受信した後に、端末デバイスは、比較的短い第１周期で第１アップリンク信号をネットワーク・デバイスへ送信し、そのため、ネットワーク・デバイスは、セカンダリ・セルは首尾よくアクティベートされていることをより早期に知ることができ、セカンダリ・セルは首尾よくアクティベートされていることを知るためにネットワーク・デバイスにより使用される時間は短縮され、アクティベーション遅延は短縮される。スケジューリング・コマンドを受信した後、又は最大アクティベーション時間が満了した後に、端末デバイスは、比較的長い第２周期で、又はネットワーク・デバイスのスケジューリングに基づいて、第２アップリンク信号を送信し、第２アップリンク信号を送信するために消費されるネットワーク・リソースは削減され、それによって、ネットワーク・リソースの消費及びアクティベーション遅延が、セカンダリ・セル・アクティベーション・プロセスにおいて、又はセカンダリ・セルがアクティベートされた後にアンバランスであるという問題を解決し、データ伝送効率及びユーザー体験を向上させる。
【００２８】
第５態様の可能な実装において、指示情報を受信した後に、端末デバイスは、ＲＲＭメジャーメント、ＣＳＩメジャーメント、ダウンリンク同期、及びハードウェア準備作業のうちの少なくとも１つを開始し；及びハードウェア準備作業は、位相ロック・ループ調整、水晶発振器調整、自動ゲイン制御、及び無線周波数チェーン・アクティベーションのうちの少なくとも１つを含む。
【００２９】
第５態様の可能な実装において、指示情報、及びセカンダリ・セルのアクティベーション・コマンドは、ＭＡＣ  ＣＥの形式で送信され、又は物理レイヤ・シグナリングの形式で送信される。
【００３０】
第５態様の可能な実装において、端末デバイスが指示情報を受信する前に、方法は更に：ネットワーク・デバイスにより送信されるセカンダリ・セルのコンフィギュレーション・メッセージを端末デバイスにより受信するステップであって、セカンダリ・セルのコンフィギュレーション・メッセージは、ＲＲＭメジャーメントの周期情報、ＣＳＩメジャーメントの周期、第１周期のコンフィギュレーション、第２周期のコンフィギュレーション情報のうちの少なくとも１つを含む。
【００３１】
第５態様の可能な実施において、第１アップリンク信号は、第１チャネル状態情報ＣＳＩ及び／又は第１サウンディング・リファレンス信号ＳＲＳを含み、第２アップリンク信号は、第２ＣＳＩ及び／又は第２ＳＲＳを含む。
【００３２】
第６態様によれば、セカンダリ・セルをアクティベートする方法が提供され、方法は：ネットワーク・デバイスにより、指示情報をネットワーク・デバイスへ送信するステップであって、指示情報は、ＲＲＭメジャーメント、ＣＳＩメジャーメント、ダウンリンク同期、及びハードウェア準備作業のうちの少なくとも１つを開始するように端末デバイスに指示するために使用される、ステップ；指示情報を送信した後に、ネットワーク・デバイスにより、セカンダリ・セルのアクティベーション・コマンドを第１時間ユニットで端末デバイスへ送信するステップ；第１時間ユニットから第１周期を利用して、端末デバイスにより送信された第１パイロット信号を、ネットワーク・デバイスにより受信するステップを含む。
【００３３】
第６態様で提供されるセカンダリ・セルをアクティベートする方法によれば、セカンダリ・セルのアクティベーション・コマンドを端末デバイスへ送信する前に、ネットワーク・デバイスは指示情報を端末デバイスへ送信し、指示情報は、ハードウェア準備作業を開始するように端末デバイスを指示するために使用される。端末デバイスは、ネットワーク・デバイスにより送信されたセカンダリ・セルのアクティベーション・コマンドを受信するまで、ハードウェア準備作業を開始することを待機する必要はなく、むしろ、セカンダリ・セルのアクティベーション・コマンドを受信する前に、ハードウェア準備作業を開始する。指示情報は代替的にアクティベーション・コマンドであってもよい。このように、端末デバイスはハードウェア準備作業をより早期に完了することが可能である。ネットワーク・デバイスがセカンダリ・セルのアクティベーション・コマンドを送信した後、端末デバイスは、第１アップリンク信号をネットワーク・デバイスへ第１周期で送信し、そのため、セカンダリ・セルは首尾よくアクティベートされていることをネットワーク・デバイスはより早期に知ることができ、セカンダリ・セルは首尾よくアクティベートされていることを知るためにネットワーク・デバイスにより使用される時間は短縮され、アクティベーション遅延は短縮され、ネットワーク・デバイスはセカンダリ・セルをより早期にスケジューリングすることができる。
【００３４】
第６態様の可能な実装において、方法は更に：ネットワーク・デバイスにより、第２時間ユニットを決定するステップであって、第２時間ユニットは、最大アクティベーション時間が満了する時間ユニット、又は前記ネットワーク・デバイスにより送信されたスケジューリング・コマンドが受信される時間ユニットである、ステップ；及び第２時間ユニットの後にネットワーク・デバイスのスケジューリングに基づいて又は第２周期を利用して、端末デバイスにより送信された第２アップリンク信号を、端末デバイスにより受信するステップであって、第２周期は第１周期より長い、ステップを含む。この実装では、ネットワーク・デバイスはセカンダリ・セルのアクティベーション・コマンドを送信するので、ネットワーク・デバイスは、端末デバイスにより送信された第１アップリンク信号を比較的短い第１周期で受信し、そのため、ネットワーク・デバイスは、セカンダリ・セルは首尾よくアクティベートされていることをより早期に知ることができ、セカンダリ・セルは首尾よくアクティベートされていることを知るためにネットワーク・デバイスにより使用される時間は短縮され、アクティベーション遅延は短縮される。ネットワーク・デバイスがスケジューリング・コマンドを送信した後、又は最大アクティベーション時間が満了した後に、ネットワーク・デバイスは、比較的長い第２周期で、又はネットワーク・デバイスのスケジューリングに基づいて、端末デバイスにより送信された第２アップリンク信号を受信し、第２アップリンク信号を送信するために消費されるネットワーク・リソースは削減され、それによって、ネットワーク・リソースの消費及びアクティベーション遅延が、セカンダリ・セル・アクティベーション・プロセスにおいて、又はセカンダリ・セルがアクティベートされた後にアンバランスであるという問題を解決し、データ伝送効率及びユーザー体験を向上させる。
【００３５】
第６態様の可能な実装において、ネットワーク・デバイスが指示情報を送信する前に、方法は更に：ネットワーク・デバイスにより、セカンダリ・セルのコンフィギュレーション・メッセージを端末デバイスへ送信するステップであって、セカンダリ・セルのコンフィギュレーション・メッセージは、ＲＲＭメジャーメントの周期情報、ＣＳＩメジャーメントの周期、第１周期のコンフィギュレーション、第２周期のコンフィギュレーション情報のうちの少なくとも１つを含む。
【００３６】
第６態様の可能な実装において、指示情報、及びセカンダリ・セルのアクティベーション・コマンドは、ＭＡＣ  ＣＥの形式で送信され、又は物理レイヤ・シグナリングの形式で送信される。
【００３７】
第６態様の可能な実施において、第１アップリンク信号は、第１チャネル状態情報ＣＳＩ及び／又は第１サウンディング・リファレンス信号ＳＲＳを含み、第２アップリンク信号は、第２ＣＳＩ及び／又は第２ＳＲＳを含む。
【００３８】
第７態様によれば、通信装置が提供される。通信装置は、上記の方法における対応する機能を実行する際に通信装置をサポートするためにプロセッサ、メモリ、及びトランシーバを含む。プロセッサ、メモリ、及びトランシーバは通信接続を介して接続され、メモリは命令を格納し、トランシーバは、プロセッサによって駆動される場合に、特定の信号を受信及び送信するように構成され、プロセッサは、第１態様、第４態様、又は第５態様、及び第１態様、第４態様、及び第５態様の実装のうちの任意の１つにおいて、セカンダリ・セルをアクティベートする方法を実装するために命令を呼び出すように構成される。
【００３９】
第８態様によれば、通信装置が提供され、通信装置は、第１態様又は第１態様の可能な実装のうちの任意の１つにおける端末デバイスの機能、第４態様又は第４態様の可能な実装のうちの任意の１つにおける端末デバイスの機能、あるいは第５態様又は第５態様の可能な実装のうちの任意の１つにおける通信装置の機能を実行する際に通信装置をサポートするように構成された、処理モジュール、ストレージ・モジュール、及びトランシーバ・モジュールを含む。機能は、ハードウェアにより実装されてもよいし、あるいは対応するソフトウェアを実行することによりハードウェアで実装されてもよい。ハードウェア又はソフトウェアは機能に対応する１つ以上のモジュールを含む。
【００４０】
第９態様によれば、ネットワーク・デバイスが提供される。ネットワーク・デバイスは、上記の方法における対応する機能を実行する際にネットワーク・デバイスをサポートするように構成されたプロセッサ、メモリ、及びトランシーバを含む。プロセッサ、メモリ、及びトランシーバは通信を介して接続され、メモリは命令を格納し、トランシーバは、プロセッサによって駆動される場合に、特定の信号を受信及び送信するように構成され、プロセッサは、第２態様、第３態様、又は第６態様、及び第２態様、第３態様、及び第６態様の実装のうちの任意の１つにおいて、セカンダリ・セルをアクティベートする方法を実装するために命令を呼び出すように構成される。
【００４１】
第１０態様によれば、ネットワーク・デバイスが提供され、ネットワーク・デバイスは、第２態様又は第２態様の可能な実装のうちの任意の１つにおけるネットワーク・デバイスの機能、第３態様又は第３態様の可能な実装のうちの任意の１つにおけるネットワーク・デバイスの機能、あるいは第６態様又は第６態様の可能な実装のうちの任意の１つにおける端末デバイスの機能を実行する際にネットワーク・デバイスをサポートするように構成された、処理モジュール、ストレージ・モジュール、及びトランシーバ・モジュールを含む。機能は、ハードウェアにより実装されてもよいし、あるいは対応するソフトウェアを実行することによりハードウェアで実装されてもよい。ハードウェア又はソフトウェアは機能に対応する１つ以上のモジュールを含む。
【００４２】
第１１態様によれば、通信システムが提供される。通信システムは、第７態様又は第８態様で提供される通信装置と、第９態様又は第１０態様で提供されるネットワーク・デバイスとを含む。通信システムは、第１態様、第２態様、第３態様、第４態様、第５態様、及び第６態様に従って、セカンダリ・セルをアクティベートする方法を完了することができる。
【００４３】
第１２態様によれば、コンピュータ読み取り可能な記憶媒体が提供され、コンピュータ読み取り可能な記憶媒体はコンピュータ・プログラムを格納するように構成され、コンピュータ・プログラムは、第１態様又は第１態様の可能な実装のうちの任意の１つにおける方法、第４態様又は第４態様の可能な実装のうちの任意の１つにおける方法、及び第５態様又は第５態様の可能な実装のうちの任意の１つにおける方法を実行するために使用される命令を含む。
【００４４】
第１３態様によれば、コンピュータ読み取り可能な記憶媒体が提供され、コンピュータ読み取り可能な記憶媒体はコンピュータ・プログラムを格納するように構成され、コンピュータ・プログラムは、第２態様又は第２態様の可能な実装のうちの任意の１つにおける方法、第３態様又は第３態様の可能な実装のうちの任意の１つにおける方法、及び第６態様又は第６態様の可能な実装のうちの任意の１つにおける方法を実行するために使用される命令を含む。
【図面の簡単な説明】
【００４５】
【図１】様々なキャリア・アグリゲーション・モードの概略図である。
【００４６】
【図２】従来技術でセカンダリ・セルをアクティベートする概略フローチャートである。
【００４７】
【図３】本発明による典型的なアプリケーション・シナリオの概略図である。
【００４８】
【図４】本発明の実施形態によるセカンダリ・セルをアクティベートする方法の概略フローチャートである。
【００４９】
【図５】本発明の別の実施形態によるセカンダリ・セルをアクティベートする方法の概略フローチャートである。
【００５０】
【図６】本発明の更に別の実施形態によるセカンダリ・セルをアクティベートする方法の概略フローチャートである。
【００５１】
【図７】本発明の実施形態による通信装置の概略ブロック図である。
【００５２】
【図８】本発明の別の実施形態による通信装置の概略ブロック図である。
【００５３】
【図９】本発明の実施形態によるネットワーク・デバイスの概略ブロック図である。
【００５４】
【図１０】本発明の実施形態によるネットワーク・デバイスの概略ブロック図である。
【００５５】
【図１１】本発明の実施形態によるネットワーク・デバイスの概略ブロック図である。
【００５６】
【図１２】本発明の実施形態によるネットワーク・デバイスの概略ブロック図である。
【００５７】
【図１３】本発明の実施形態による通信装置の概略ブロック図である。
【００５８】
【図１４】本発明の別の実施形態による通信装置の概略ブロック図である。
【００５９】
【図１５】本発明の実施形態による通信装置の概略ブロック図である。
【００６０】
【図１６】本発明の別の実施形態による通信装置の概略ブロック図である。
【００６１】
【図１７】本発明の実施形態によるネットワーク・デバイスの概略ブロック図である。
【００６２】
【図１８】本発明の別の実施形態によるネットワーク・デバイスの概略ブロック図である。
【発明を実施するための形態】
【００６３】
以下、添付の図面に関連して本願の技術的ソリューションを説明する。
【００６４】
本願の実施形態の技術的ソリューションは、移動通信のためのグローバル・システム（ｇｌｏｂａｌ  ｓｙｓｔｅｍ  ｏｆ  ｍｏｂｉｌｅ  ｃｏｍｍｕｎｉｃａｔｉｏｎ，ＧＳＭ）システム、符号分割多元接続（ｃｏｄｅ  ｄｉｖｉｓｉｏｎ  ｍｕｌｔｉｐｌｅ  ａｃｃｅｓｓ，ＣＤＭＡ）システム、ワイドバンド符号分割多元接続（ｗｉｄｅｂａｎｄ  ｃｏｄｅ  ｄｉｖｉｓｉｏｎ  ｍｕｌｔｉｐｌｅ  ａｃｃｅｓｓ，ＷＣＤＭＡ）システム、ゼネラル・パケット無線サービス（ｇｅｎｅｒａｌ  ｐａｃｋｅｔ  ｒａｄｉｏ  ｓｅｒｖｉｃｅ，ＧＰＲＳ）システム、ロング・ターム・エボリューション（ｌｏｎｇ  ｔｅｒｍ  ｅｖｏｌｕｔｉｏｎ，ＬＴＥ）システム、ＬＴＥ周波数分割複信（ｆｒｅｑｕｅｎｃｙ  ｄｉｖｉｓｉｏｎ  ｄｕｐｌｅｘ，ＦＤＤ）システム、ＬＴＥ時分割複信（ｔｉｍｅ  ｄｉｖｉｓｉｏｎ  ｄｕｐｌｅｘ，ＴＤＤ）システム、ユニバーサル移動通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ，ＵＭＴＳ）、マイクロ波アクセスのための世界的相互運用性（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ，  ＷｉＭＡＸ）通信システム、将来の第５世代（５ｔｈ  ｇｅｎｅｒａｔｉｏｎ，５Ｇ）システム、又はニュー・ラジオ（ｎｅｗ  ｒａｄｉｏ，ＮＲ）システム等の様々な通信システムに適用されることが可能である。
【００６５】
本願の実施形態における通信装置は、端末デバイス、ユーザー装置、アクセス端末、加入者装置、加入者局、移動局、リモート局、リモート端末、モバイル・デバイス、ユーザー端末、端末、無線通信装置、通信装置、ユーザー・エージェント、又はユーザー装置であってもよい。端末デバイスは、代替的に、セルラ電話、コードレス電話、セッション開始プロトコル（ｓｅｓｓｉｏｎ  ｉｎｉｔｉａｔｉｏｎ  ｐｒｏｔｏｃｏｌ，ＳＩＰ）電話、ワイヤレス・ローカル・ループ（ｗｉｒｅｌｅｓｓ  ｌｏｃａｌ  ｌｏｏｐ，ＷＬＬ）ステーション、パーソナル・ディジタル・アシスタント（ｐｅｒｓｏｎａｌ  ｄｉｇｉｔａｌ  ａｓｓｉｓｔａｎｔ，ＰＤＡ）、無線通信機能を有する携帯デバイス、コンピューティング・デバイス、ワイヤレスモデムに接続された別の処理デバイス、車載デバイス、ウェアラブル・デバイス、将来の５Ｇネットワークにおける端末デバイス、又は将来発展する公共の地上モバイル・ネットワーク（ｐｕｂｌｉｃ  ｌａｎｄ  ｍｏｂｉｌｅ  ｎｅｔｗｏｒｋ，ＰＬＭＮ）における端末デバイスであってもよい。これは本願の実施態様で限定されない。
【００６６】
本願の実施形態におけるネットワーク・デバイスは、端末デバイスと通信するように構成されるデバイスであってもよい。ネットワーク・デバイスは、移動通信のためのグローバル・システム（ｇｌｏｂａｌ  ｓｙｓｔｅｍ  ｏｆ  ｍｏｂｉｌｅ  ｃｏｍｍｕｎｉｃａｔｉｏｎ，ＧＳＭ）システム又は符号分割多元接続（ｃｏｄｅ  ｄｉｖｉｓｉｏｎ  ｍｕｌｔｉｐｌｅ  ａｃｃｅｓｓ，ＣＤＭＡ）システムにおけるベース・トランシーバ・ステーション（ｂａｓｅ  ｔｒａｎｓｃｅｉｖｅｒ  ｓｔａｔｉｏｎ，ＢＴＳ）であってもよく、又はワイドバンド符号分割多元接続（ｗｉｄｅｂａｎｄ  ｃｏｄｅ  ｄｉｖｉｓｉｏｎ  ｍｕｌｔｉｐｌｅ  ａｃｃｅｓｓ，ＷＣＤＭＡ）システムにおけるノードＢ（ＮｏｄｅＢ，ＮＢ）であってもよく、又はＬＴＥシステムにおけるエボルブドＮｏｄｅＢ（ｅｖｏｌｕｔｉｏｎａｌ  ＮｏｄｅＢ，ｅＮＢ又はｅＮｏｄｅＢ）であってもよく、又はクラウド無線アクセス・ネットワーク（ｃｌｏｕｄ  ｒａｄｉｏ  ａｃｃｅｓｓ  ｎｅｔｗｏｒｋ，ＣＲＡＮ）シナリオにおける無線コントローラであってもよい。あるいは、ネットワーク・デバイスは、中継ノード、アクセス・ポイント、車載デバイス、ウェアラブル・デバイス、将来の５Ｇネットワークにおけるネットワーク・デバイス、将来の進化したＰＬＭＮネットワークにおけるネットワーク・デバイス、等々であってもよい。これは本願の実施態様で限定されない。
【００６７】
端末デバイスに関し、プライマリ・セルはプライマリ周波数バンド（プライマリ・キャリア）上で動作するセルであり、セカンダリ・セルはセカンダリ周波数バンド（セカンダリ・キャリア）上で動作するセルである。端末デバイスのサービング・セル（ｓｅｒｖｉｎｇ  ｃｅｌｌ）はセカンダリ・セルであってもよいし、又はプライマリ・セルであってもよい。キャリア・アグリゲーション（ｃａｒｒｉｅｒ  ａｇｇｒｅｇａｔｉｏｎ，ＣＡ）が設定されていない端末デバイスでは、唯１つのサービング・セル、即ちプライマリ・セルのみが存在する。ＣＡが設定されている端末デバイスについては、サービング・セルは、プライマリ・セル及びセカンダリ・セルを含むセル・セットである。ＣＡが設定されている端末デバイスは、１つのプライマリ・セルと最大４つのセカンダリ・セルに接続される。図１は様々なキャリア・アグリゲーション・モードの概略図である。図１において、端末デバイスＡに関し、ＣＡはサポートされておらず、従って唯１つのセル、即ち１つのアップリンク・キャリア及び１つのダウンリンク・キャリアのみが存在する。端末デバイスＢについては、対称的なＣＡモードが設定されており、２つのキャリアが集められ、２つのアップリンク・キャリアと２つのダウンリンク・キャリアとがサポートされる。端末デバイスＣについては、非対称ＣＡモードが設定されており、３つのダウンリンク・キャリアと１つのアップリンク・キャリアとが存在する。キャリア・アグリゲーション・モードでは、端末デバイスによってサポートされるダウンリンク・キャリアの量は、アップリンク・キャリアの量以上である。現在、キャリア・アグリゲーションは最大３２キャリアのアグリゲーションをサポートすることができる。将来の５Ｇネットワークでは、キャリア・アグリゲーションは多くのキャリアをサポートする可能性があり、即ちより多くのセカンダリ・セルが端末デバイスのために追加（アクティベート）されることを必要とする。
【００６８】
図２は、従来技術でセカンダリ・セルをアクティベーションするための概略フローチャートである。端末デバイスは、先ずＲＲＣリコンフィギュレーション・メッセージを受信し、ＲＲＣリコンフィギュレーション・メッセージを受信した後、ＲＲＣリコンフィギュレーション・メッセージがＳＣｅｌｌ追加シグナリングを含む場合、ＵＥは、セカンダリ・セルが位置するキャリアとしてリコンフィギュレーション・メッセージにキャリアを追加する。しかしながら、セカンダリ・セルはインアクティブ状態にあり、インアクティブ状態では、端末デバイスは、セカンダリ・セルでサウンディング・リファレンス信号（ｓｏｕｎｄｉｎｇ  ｒｅｆｅｒｅｎｃｅ  ｓｉｇｎａｌ，ＳＲＳ）のようなアップリンク信号を送信せず；セカンダリ・セルでＵＬデータを送信せず；セカンダリ・セルのチャネル品質インジケータ（ｃｈａｎｎｅｌ  ｑｕａｌｉｔｙ  ｉｎｄｉｃａｔｏｒ，ＣＱＩ）／プリコーディング・マトリクス・インジケータ（ｐｒｅｃｏｄｉｎｇ  ｍａｔｒｉｘ  ｉｎｄｉｃａｔｏｒ，ＰＭＩ）／ランク・インジケータ（ｒａｎｋ  ｉｎｄｉｃａｔｉｏｎ，ＲＩ）を送信せず；セカンダリ・セルで実行されるスケジューリング、及びセカンダリ・セルの制御チャネルのスケジューリングを含む、セカンダリ・セルの物理ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）をリスニングせず；ランダム・アクセス・プロセスを実行せず；物理アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）が設定されている場合、物理アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上で送信を実行しない。端末デバイスは、セカンダリ・セルのアップリンク共有チャネル（ｕｐｌｉｎｋ  ｓｈａｒｅｄ  ｃｈａｎｎｅｌ）でデータを送信しない。図２に示すように、端末デバイスは、Ｔ番目の時間ユニットでセカンダリ・セルのアクティベーション・コマンドを受信し、その後の４ｍｓでアクティベーション・コマンドの受信及び関連する復号化等の処理を完了する。（Ｔ＋８）番目の時間ユニットの後、有効なチャネル状態情報（ｃｈａｎｎｅｌ  ｓｔａｔｅ  ｉｎｆｏｒｍａｔｉｏｎ，ＣＳＩ）がネットワーク・デバイスへ送信され、現在のセルのチャネル状態をネットワーク・デバイスに報告する。（Ｔ＋８）番目の時間ユニットと（Ｔ＋ｋ）番目の時間ユニットとの間において、端末デバイスがハードウェア準備作業、例えば、位相ロック・ループ調整、水晶発振器調整、自動利得制御、及び高周波チェーン・アクティベーションを完了した場合、即ち、セカンダリ・セルがアクティベートされた後、端末デバイスは定期的にアップリンク信号をネットワーク・デバイスへ送信し、セカンダリ・セルが首尾よくアクティベートされていることをネットワーク・デバイスに通知する。例えば、アップリンク信号はＣＳＩ及び／又はＳＲＳを含む。ネットワーク・デバイスがアップリンク信号を受信する時間は、（Ｔ＋ｋ）番目の時間ユニットより早くてもよいし、あるいは（Ｔ＋ｋ）番目の時間ユニットより遅くてもよい。ｋの値は２４又は３４であ��。ｋの値が２４である場合、それは、アクティベートされるべきセカンダリ・セルは有効なメジャーメント・レポートを報告したことを示す。ｋの値が３４である場合、それは、アクティベートされるべきセカンダリ・セルは有効なメジャーメント・レポートを過去に報告していないことを示す。ｋの値は、システムによって設定された最大のアクティベーション時間であり、即ち、（Ｔ＋ｋ）番目の時間ユニットが満了した場合、たとえネットワーク・デバイスがアップリンク信号を正しく受信していなくても、ネットワーク・デバイスは、データを受信又は送信するように端末デバイスをスケジューリングするために、スケジューリング・コマンド（シグナリング又はデータ）を端末デバイスへ送信する。最大アクティベーション時間は、プロトコルで規定又は事前に定義されており、端末デバイスによるアクティベーション・コマンドの受信から、端末デバイスによるセカンダリ・セルのアクティベーションまでにかかる最大時間、例えば、３ＧＰＰ  ３６．１３３で定義されているようにｎ＋２４ミリ秒又はｎ＋３４ミリ秒である。
【００６９】
従って、ネットワーク・デバイスがアップリンク信号を受信するか、又は（Ｔ＋ｋ）番目の時間ユニットが満了するかの２つの条件のうちの何れかが充足されたと仮定し、ネットワーク・デバイスは、端末デバイスのセカンダリ・セルはアクティブにされていると考え、データ・スケジューリングがセカンダリ・セルで実行され始める。端末デバイスがスケジューリング・コマンドを受信した後、端末デバイスは、設定された周期でアップリンク信号を送信し続け、セカンダリ・セルのＣＱＩ／ＰＭＩ／ＲＩ／をネットワーク・デバイスへ送信し、セカンダリ・セルのＰＤＣＣＨをリスニングし、及び／又はＰＵＣＣＨでデータを送信し、他のセカンダリ・セルのデアクティベーション・タイマをイネーブルにし、セカンダリ・セルの電力ヘッドルームを報告する等のアクションをトリガする。
【００７０】
既存のセカンダリ・セル・アクティベーション・プロセスでは、設定されたアップリンク信号の送信周期が比較的長い場合や、アップリンク信号を送信するリソースが設定されていない場合、ネットワーク・デバイスは、設定された最大アクティベーション時間が経過した後に（即ち、（Ｔ＋ｋ）時間ユニットが満了した後））に、端末デバイスのセカンダリ・セルをスケジューリングすることを待機することしかできない。これは、スケジューリング遅延の原因となる。しかしながら、アップリンク信号の設定された送信周期が比較的短い場合、セカンダリ・セルがアクティブになった後、アップリンク信号は依然としてオリジナル周期で送信されるので、ネットワーク・リソースの比較的厳しい消費が引き起こされる。
【００７１】
上記の問題点に基づき、本発明の実施形態は、セカンダリ・セルをアクティベートする方法を提供し、セカンダリ・セルのアクティベーション・プロセスにおいてネットワーク・リソースの消費及びアクティベーション遅延がアンバランスであるという問題を解決し、データ伝送効率及びユーザー体験を向上させる。
【００７２】
５Ｇ又はニュー・ラジオ・アクセスネットワーク（ｎｅｗ  ｒａｄｉｏ  ａｃｃｅｓｓ  ｎｅｔｗｏｒｋ，ＮＲ）システムでは、１つのＮＲ  ＮｏｄｅＢ（ＮＲ−ＮＢ）に１つ以上の送受信ポイント（ｔｒａｎｓｍｉｓｓｉｏｎ  ｒｅｃｅｐｔｉｏｎ  ｐｏｉｎｔ，ＴＲＰ）が存在してもよく、全てのＴＲＰが同一セルに属することが理解されるべきである。各ＴＲＰ及び各端末デバイスは、本願の実施形態において、セカンダリ・セルをアクティベートするための方法を使用することができる。別のシナリオでは、ネットワーク・デバイスは、制御ユニット（ｃｏｎｔｒｏｌ  ｕｎｉｔ，ＣＵ）及びデータ・ユニット（ｄａｔａ  ｕｎｉｔ，ＤＵ）に更に分割されてもよい。１つのＣＵに複数のＤＵが存在してもよい。各ＤＵ及び各端末デバイスは、本願の実施形態で説明されるセカンダリ・セルをアクティベートするための方法を使用することができる。ＣＵ−ＤＵ分離シナリオとマルチ−ＴＲＰシナリオとの間の相違は、ＴＲＰは単に１つの無線周波数ユニット又は１つのアンテナ・デバイスであり、ＤＵはプロトコル・スタック機能を実装することができ、例えば、ＤＵは物理レイヤ機能を実装することができるという点にある。
【００７３】
図３は、本発明の一実施形態による典型的なアプリケーション・シナリオの概略図である。図３に示すように、本願の技術的ソリューションは、ネットワーク・デバイスと端末デバイスとの間で実行されるセカンダリ・セル・アクティベーション・プロセスに適用されることが可能である。端末デバイス１及び端末デバイス２のサービング・セルは、同一のネットワーク・デバイスによって応対される。端末デバイス１及び端末デバイス２は、ネットワーク・デバイスの複数のキャリアに別々に接続されている。端末デバイス２のサービング・セルは、プライマリ・セルと２つのセカンダリ・セル（セカンダリ・セル１及びセカンダリ・セル２）とを含み、端末デバイス１のサービング・セルは、プライマリ・セルとセカンダリ・セル１とを含む。複数のセル（キャリア）のうちの少なくとも一部は、端末デバイス１及び端末デバイス２のサービング・セルを別々に形成する。
【００７４】
本発明のこの実施形態は、単に図３に示すアプリケーション・シナリオを具体例として使用して説明しているにすぎないが、本発明のこの実施形態はこれに限定されないことが、理解されるべきである。例えば、システムは、より多くの端末デバイス及びキャリアを含むことができる。
【００７５】
以下、図４に関連して本願によるセカンダリ・セルをアクティベートする方法を詳細に説明する。図４は本発明の実施形態によるセカンダリ・セルをアクティベートする方法１００の概略フローチャートである。この方法１００は、図３に示すシナリオに適用されてもよいし、確かに他の通信シナリオに適用されてもよい。これは本発明のこの実施形態で限定されない。
【００７６】
図４に示すように、方法１００は以下のステップを含む：
【００７７】
Ｓ１１０．ネットワーク・デバイスにより送信されたセカンダリ・セルのアクティベーション・コマンドを受信した後に、端末デバイスは、第１時間ユニットから第１周期を利用して、第１アップリンク信号をネットワーク・デバイスへ送信する。
【００７８】
Ｓ１２０．ネットワーク・デバイスは、第１時間ユニットから第１周期で第１アップリンク信号を受信する。
【００７９】
Ｓ１３０．端末デバイスは第２時間ユニットを決定し、ここで、第２時間ユニットは、最大アクティベーション時間が満了する時間ユニット、又はネットワーク・デバイスにより送信されたスケジューリング・コマンドが受信される時間ユニットである。
【００８０】
Ｓ１４０．端末デバイスは、第２周期を使用して、又は第２時間ユニットの後のネットワーク・デバイスのスケジューリングに基づいて、第２アップリンク信号をネットワーク・デバイスへ送信し、第２周期は第１周期よりも長い。
【００８１】
Ｓ１５０．ネットワーク・デバイスは、第２周期において、又は第２時間ユニットからのネットワーク・デバイスのスケジューリングに基づいて、第２アップリンク信号を受信する。
【００８２】
本発明のこの実施形態で提供されるセカンダリ・セルをアクティベートする方法によれば、アクティベーション・プロセスにおいて、即ち端末デバイスがアクティベーション・コマンドを受信した第１時間ユニットから、端末デバイスがスケジューリング・コマンドを受信する、又は最大アクティベーション時間が経過した時間ユニットまでの時間期間において、第１アップリンク信号は比較的短い第１周期でネットワーク・デバイスへ送信され、ネットワーク・デバイスが、セカンダリ・セルはアクティベーションされていることを通知するために使用される第１アップリンク信号を受信する確率が増加し、そのため、ネットワーク・デバイスは、第１アップリンク信号をより早期に受信し、第１アップリンク信号に基づいて、スケジューリング・コマンドを端末デバイスへより早期に送信することができる。これは、セカンダリ・セルが首尾よくアクティベーションされていることを知るためにネットワーク・デバイスによって使われる時間を短縮し、アクティベーション遅延を低減し、その結果、ネットワーク・デバイスはセカンダリ・セルをより早期にスケジューリングすることができる。スケジューリング・コマンド（シグナリング又はデータ）を受信した後、又は、最大アクティベーション時間が経過した後、端末デバイスは、比較的長い第２周期で、又はネットワーク・デバイスのスケジューリングに基づいて、第２アップリンク信号を送信し、第２アップリンク信号のために消費されるネットワーク・リソースが削減され、それによって、ネットワーク・リソースの消費及びアクティベーション遅延が、セカンダリ・セルのアクティベーション・プロセスにおいて、又はセカンダリ・セルがアクティベートされた後にアンバランスであるという問題を解決し、データ伝送効率及びユーザー体験を向上させる。
【００８３】
具体的には、Ｓ１１０において、ネットワーク・デバイスは、セカンダリ・セルのアクティベーション・コマンドを端末デバイスへ送信する。相応して、セカンダリ・セルのアクティベーション・コマンドを受信した後、端末デバイスは、第１時間ユニットから第１周期で第１アップリンク信号をネットワーク・デバイスへ送信する。端末デバイスがセカンダリ・セルのアクティベーション・コマンドを受信した時間ユニットから、第１時間ユニットまでの時間期間において、端末デバイスは、セカンダリ・セルのアクティベーション・コマンドの受信を完了する、即ち、復調及び復号化等の処理を実行する。
【００８４】
第１時間ユニットは、端末デバイスが第１アップリンク信号を送信することが可能な時間ユニット、即ち、端末デバイスが第１アップリンク信号を送信することができ、かつ、第１アップリンク信号を送信する能力を有する時間ユニットであることが、理解されるべきである。第１時間ユニットにおいて、端末デバイスは第１アップリンク信号の送信を開始する能力のみを有し、端末デバイスは、代替的に第１時間ユニットの後の時間ユニットで第１アップリンク・リファレンス信号の送信を開始してもよいことが理解されるべきである。これは本発明のこの実施形態で限定されない。アクティベーション・コマンドを受信した後に、端末デバイスは、有効なＣＳＩレポートをネットワーク・デバイスへ送信する。第１アップリンク信号は、有効なＣＳＩレポートを含んでもよい。オプションとして、第１時間ユニットは、有効なＣＳＩレポートが送信される時間ユニットであってもよい。有効なＣＳＩレポートは、セカンダリ・セルが位置するキャリアのチャネル状態をネットワーク・デバイスに通知するために使用される。アクティベーション・コマンドを受信した後に、端末デバイスは、位相ロック・ループ調整、水晶発振器調整、自動利得制御、無線周波数チェーン・アクティベーション等のハードウェア準備作業を実行し始める。端末デバイスは、ハードウェア準備作業を完了し、セカンダリ・セルが首尾よくアクティベーションされていることを通知する。
【００８５】
第１時間ユニットは、端末デバイスがハードウェア準備を完了する時間ユニットであってもよいこと、第１時間ユニットは、端末デバイスがハードウェア準備を完了する前の時間ユニットであってもよいこと、あるいは第１時間ユニットは、端末デバイスが第１アップリンク信号を送信することができ、ＳＲＳを送信し、ＰＤＣＣＨ検出を実行し、電力ヘッドルームを報告する能力を有する時間ユニットであってもよいことが、理解されるべきである。これは本発明のこの実施形態で限定されない。
【００８６】
本願においては、時間ユニットと瞬間が同じ意味を表してもよく、両方が時間ノードを表すために使用されてもよく、互いに置き換えられてもよいことが、更に理解されるべきである。例えば、第１時間ユニットは第１時点であってもよく、第１時間ユニットは、サブフレーム、スロット（ｓｌｏｔ）、ミニ・スロット（ｍｉｎｉ−ｓｌｏｔ）、又はショート送信時間間隔（ｓｈｏｒｔ  ｔｒａｎｓｍｉｓｓｉｏｎ  ｔｉｍｅ  ｉｎｔｅｒｖａｌ，ｓＴＴＩ）であってもよい。これは本発明のこの実施形態で限定されない。
【００８７】
セカンダリ・セルのアクティベーション・コマンドは、媒体アクセス制御チャネル・エレメント（ｍｅｄｉａ  ａｃｃｅｓｓ  ｃｏｎｔｒｏｌ  ｃｈａｎｎｅｌ  ｅｌｅｍｅｎｔ，ＭＡＣ  ＣＥ）で送信してもよいし、ＰＤＣＣＨで送信されてもよいことが、更に理解されるべきである。これは本発明のこの実施形態で限定されない。
【００８８】
更に、セカンダリ・セルがセル形式におけるものであり、プライマリ同期信号、セカンダリ同期信号、及びブロードキャスト・メッセージを送信するために使用されてもよいし、あるいはセカンダリ・セルは、ビーム形式におけるものであり、ビーム・パイロット信号を送信するために使用されてもよいことが、更に理解されるべきである。ビーム・パイロット信号は特定の周期で送信され、あるいはセカンダリ・セルは、分散ユニット（ｄｉｓｔｒｉｂｕｔｅ  ｕｎｉｔ）の形式におけるものであってもよい。分散ユニットはユーザー・プレーンのみを含む。分散ユニットは中央ユニット（ｃｅｎｔｒａｌ  ｕｎｉｔ）に接続され、中央ユニットは制御プレーン情報を提供する。
【００８９】
更に、セカンダリ・セルに対するアクティベーション・コマンドにおけるセカンダリ・セルの追加又は変更シグナリングは、セカンダリ・セル・グループのインデックスの形式で送信されてもよいし、あるいは単独のセカンダリ・セルのインデックスの形式で送信されてもよいことが、更に理解されるべきである。これは本発明のこの実施形態で限定されない。
【００９０】
端末デバイスは、第１時間ユニットで第１アップリンク信号を送信する機能を既に有し、即ち、端末デバイスは第１アップリンク信号を送信することが可能（伝送することが可能）であるので、端末デバイスは、第１時間ユニットから第１周期で第１アップリンク信号をネットワーク・デバイスへ送信し、ネットワーク・デバイスに、セカンダリ・セルは首尾よくアクティベートされていることを通知する。相応して、Ｓ１２０において、ネットワーク・デバイスも、第１時間ユニットから第１周期で端末デバイスにより送信された第１アップリンク信号を受信する。
【００９１】
オプションとして、第１時間ユニットは、セカンダリ・セルのアクティベーション・コマンドが受信された時間ユニットの後、８番目の時間ユニットであってもよく、これは、端末デバイスが、有効なＣＳＩレポートを８番目のサブフレームと同程度に早期に送信する（有効なＣＳＩレポートを伝送する）ことを示す。代替的に、第１時間ユニットの値は別の値であってもよい。異なるリソースに関し、パラメータ設定は異なる。パラメータ設定は「数」として言及されてもよい。例えば、異なるサービスに対して設定される、サイクリック・プレフィックス（ｃｙｃｌｉｃ  ｐｒｅｆｉｘ，ＣＰ）の長さ、送信時間間隔（ｔｒａｎｓｍｉｓｓｉｏｎ  ｔｉｍｅ  ｉｎｔｅｒｖａｌ，ＴＴＩ）、サブキャリア間隔、シンボル（ｓｙｍｂｏｌ）の量、リソース・ブロック（ｒｅｓｏｕｒｃｅ  ｂｌｏｃｋ，ＲＢ）の位置、スロット長、フレームフォーマットは異なる。従って、セカンダリ・セルに対するアクティベーション・コマンドが受信される時間ユニットと第１時間ユニットとの間の継続時間はまた、異なる数に対応する値であってもよい。例えば、２シンボルのＴＴＩ長の場合、セカンダリ・セルのアクティベーション・コマンドにおける時間ユニットと第１時間ユニットとの間の持続時間は１６ＴＴＩであってもよく、１ｍｓのＴＴＩ長の場合、セカンダリ・セルのアクティベーション・コマンドにおける時間ユニットと第１時間ユニットとの間の持続時間は、１ｍｓのサブフレーム８つであってもよい。これは本発明のこの実施形態で限定されない。
【００９２】
端末デバイスは、代替的に、第１時間ユニットの後の時間ユニットにおいて、第１アップリンク信号をネットワーク・デバイスへ送信してもよいことが、理解されるべきである。例えば、第１アップリンク信号は、端末デバイスがハードウェア準備を完了する時間ユニットからネットワーク・デバイスへ送信されてもよい。あるいは、第１時間ユニットは、端末デバイスがハードウェア準備を完了する前の時間ユニットであってもよいし、端末デバイスがハードウェア準備を完了した後の時間ユニットであってもよい。これは本発明のこの実施形態で限定されない。
【００９３】
Ｓ１３０において、端末デバイスは第２時間ユニットを決定し、第２時間ユニットは、最大アクティベーション時間が満了する時間ユニット、又は、ネットワーク・デバイスにより送信されたスケジューリング・コマンドが受信された時間ユニットであり、第２時間ユニット第１時間ユニットより後である。
【００９４】
具体的には、第１アップリンク信号を首尾よく受信した後、ネットワーク・デバイスは、データを受信又は送信するように端末デバイスをスケジュールするために、スケジューリング・コマンドを端末デバイスへ送信する。第２時間ユニットは、端末デバイスがスケジューリング・コマンドを受信する時間ユニットであってもよい。スケジューリング・コマンドは、シグナリング又はデータであってもよい。あるいは、第２時間ユニットは、ネットワーク・デバイスが第１アップリンク信号を正しく受信する時間ユニットであってもよい。あるいは、最大アクティベーション持続時間は、システムのコンフィギュレーション情報で設定され、最大アクティベーション時間は、プロトコルで規定又は予め定義され、かつ、端末デバイスがアクティベーション・コマンドを受信した時点から、端末デバイスがセカンダリ・セルをアクティベートする時点までの最大時間、例えば３ＧＰＰ  ３６．１３３で定義されているようなｎ＋２４ミリ秒又はｎ＋３４ミリ秒である。セカンダリ・セルをアクティベートするための最も遅い時間は、（遅くとも）最大アクティベーション時間より遅くないものとすることができる。
【００９５】
最大アクティベーション時間（最も遅いアクティベーション時間）の時間ユニットが経過すると、ネットワーク・デバイスが第１アップリンク信号を正しく受信しているかどうかにかかわらず、ネットワーク・デバイスはスケジューリング・コマンドを端末デバイスへ送信する。従って、第２時間ユニットは、最大アクティベーション時間が満了する時間ユニットであってもよい。例えば、最大アクティベーション時間の値は、２４ｍｓ又は３４ｍｓであってもよいし、２４ｓＴＴＩ又は３４ｓＴＴＩであってもよいし、２４スロット又は３４スロットであってもよい、等々である。これは本発明のこの実施形態で限定されない。
【００９６】
Ｓ１４０において、端末デバイスは、第２時間ユニットの後に、第１周期より長い第２周期で第２アップリンク信号をネットワーク・デバイスへ送信するか、又はネットワーク・デバイスのスケジューリングに基づいて第２アップリンク信号をネットワーク・デバイスへ送信する。これは本願で限定されない。
【００９７】
Ｓ１５０において、ネットワーク・デバイスは、第２時間ユニットから第２周期で第１アップリンク信号を受信する。
【００９８】
具体的には、Ｓ１４０において、第２時間ユニット後に、第２アップリンク信号は、セカンダリ・セルをアクティベートするために以前に行われた場合と同様にネットワーク・デバイスへ頻繁に送信される必要はない。従って、端末デバイスは、第２周期で又はネットワーク・デバイスのスケジューリングに基づいて、第２アップリンク信号をネットワーク・デバイスへ送信する。第２周期は第１周期より長い。「ネットワーク・デバイスのスケジューリングに基づいて」とは、ネットワーク・デバイスが端末デバイスに関する情報を必要とする場合に、ネットワーク・デバイスがスケジューリング情報を端末デバイスへ送信すること、及びスケジューリング情報を受信した場合に、端末デバイスが第２アップリンク信号をネットワーク・デバイスへ報告するものとして、理解されることが可能である。「ネットワーク・デバイスのスケジューリングに基づいて」とは、ネットワーク・デバイスがＰＤＣＣＨ／又はＭＡＣ  ＣＥに基づいてスケジューリングを実行することを意味する。第２アップリンク信号は、後続のデータ伝送を容易にするために、コヒーレント復調及び検出を実行し、チャネル品質等を測定するために、ネットワーク・デバイスによって使用される。これはネットワーク・リソースの消費を削減する。相応して、Ｓ１５０において、ネットワーク・デバイスは、第２周期で又はネットワーク・デバイスのスケジューリングに基づいて、第２アップリンク信号を受信する。
【００９９】
【０１００】
第２時間ユニットの後、端末デバイスが例えば静止状態やデータを送信しない状態にある等の場合に、代替的に、端末デバイスは第２アップリンク信号をネットワーク・デバイスへ送信することを停止してもよいことが、理解されるべきである。あるいは、第２アップリンク信号は、ネットワーク・リソースの消費が削減され得る別の方法、例えば非周期的な方法でネットワーク・デバイスに報告されてもよい。これは本発明のこの実施形態で限定されない。
【０１０１】
端末デバイスがセカンダリ・セルのアクティベーション・コマンドを受信した時間から、あるいは、端末デバイスがセカンダリ・セルのアクティベーション・コマンドを受信した時間の後に、端末デバイスは、ネットワーク・デバイスにより送信されたパイロット信号を周期的に受信することが、更に理解されるべきである。パイロット信号は、端末デバイスに、セカンダリ・セルの関連情報を通知するために使用され、そのため、端末デバイスは、セカンダリ・セルとのダウンリンク同期を迅速に実現し、ハードウェア準備作業をより早期に完了させ、第１アップリンク信号をネットワーク・デバイスへより早期に送ることができる。端末デバイスがパイロット信号をより早期に受信する場合、端末デバイスはより早期にダウンリンク同期を完了することができ、ハードウェア準備作業をより早期に完了すること、即ちセカンダリ・セルのアクティベーションをより早期に完了させることができることを理解することができる。このように、端末デバイスは、第１アップリンク信号をネットワーク・デバイスへより早期に送信することができる。具体的には、アクティベーション・プロセスにおいて、ネットワーク・デバイスは比較的短い周期でパイロット信号を送信し、端末デバイスは比較的短い第１周期で第１アップリンク信号を送信する。これは、セカンダリ・セルがアクティブにされていることをネットワーク・デバイスに通知するために使用される時間をより効果的に短縮することができ、その結果、ネットワークデバイスは、セカンダリセルがアクティブにされていることをより早期に知ることができる。第２時間ユニットの後、ネットワーク・デバイスは比較的長い周期でパイロット信号を送信し、端末デバイスは比較的長い第２周期で又はスケジューリングに基づいて第２アップリンク信号を送信し、そのため、ネットワーク・リソースはより効果的に節約されることが可能である。
【０１０２】
第１周期はシステムで指定された周期であってもよく、例えば１ｍｓ又は１ＴＴＩであってもよく、又は別の値であってもよいことが更に理解されるべきである。オプションとして、より短い第１周期は、より短いアクティベーション時間を示す。例えば、第１周期は、１スロット、１ｓＴＴＩ等である。これは本発明のこの実施形態で限定されない。第２周期は第１周期より長い。オプションとして、より長い第２周期はネットワーク・リソースのより少ない消費を示す。
【０１０３】
本発明の実施形態で提供されるセカンダリ・セルをアクティベートする方法によれば、セカンダリ・セルをアクティベートするプロセスにおいて、端末デバイスは、第１周期で第１アップリンク信号をネットワーク・デバイスへ送信し、セカンダリ・セルはアクティベートされていることをネットワーク・デバイスに通知するために使用される第１アップリンク・リファレンス信号を端末デバイスが送信する動作が追加される。従って、ネットワーク・デバイスは、第１アップリンク信号に基づいてスケジューリング・コマンドをより早期に送信することができ、それによってアクティベーション遅延を低減する。スケジューリング・コマンドを受信した後に、端末デバイスは、比較的長い第２周期で又はネットワーク・デバイスのスケジューリングに基づいて第２アップリンク信号を送信し、第２アップリンク信号を送信するために消費されるネットワーク・リソースが削減される。リソース消費が低減されると、ネットワーク・デバイスは、セカンダリ・セルはアクティベートされていることを迅速に通知されることが可能であり、アクティベーション遅延が低減され、それにより、セカンダリ・セルのアクティベーション中に、ネットワーク・リソースの消費とアクティベーション遅延とがアンバランスであるという問題を解決し、データ伝送効率とユーザー体験を向上させる。
【０１０４】
オプションとして、実施形態では、Ｓ１１０の前に方法は以下を更に含む：
【０１０５】
Ｓ１０９．ネットワーク・デバイスは、セカンダリ・セルのコンフィギュレーション・メッセージを端末デバイスへ送信し、コンフィギュレーション・メッセージは、第２周期のコンフィギュレーション情報、ネットワーク・デバイスのスケジューリングのコンフィギュレーション情報、及び第１周期のコンフィギュレーション情報のうちの少なくとも１つを含む。
【０１０６】
具体的には、ネットワーク・デバイスが端末デバイスへアクティベーション・コマンドを送信する前に、ネットワーク・デバイスはセカンダリ・セルのコンフィギュレーション・メッセージを端末デバイスへ送信する。セカンダリ・セルのコンフィギュレーション・メッセージは、ＲＲＣリコンフィギュレーション・メッセージであってもよい。コンフィギュレーション・メッセージには、セカンダリ・セルの追加又は変更シグナリングを含む。例えば、端末デバイスは、セカンダリ・セル追加シグナリングに基づいて、コンフィギュレーション・メッセージにおけるキャリアを、セカンダリ・セルが配置されるキャリアとして追加し、次いで、セカンダリ・セルはインアクティブ状態になる。コンフィギュレーション・メッセージは、第２周期のコンフィギュレーション情報、ネットワーク・デバイスのスケジューリングのコンフィギュレーション情報、及び第１周期のコンフィギュレーション情報のうちの少なくとも１つを含む。端末デバイスは、コンフィギュレーション情報を取得した後、プロトコル仕様に従って、第１周期及び第２周期で第１アップリンク信号及び第２アップリンク信号を送信するように端末デバイスに指示するために使用されるコンフィギュレーション・メッセージ又は他の指示情報に基づいて、及びネットワーク・デバイスのスケジューリングに基づいて、第１アップリンク信号及び第２アップリンク信号を送信する。例えば、指示情報は、端末デバイスに対して、異なる時間セグメントにおいて異なる方法で第１アップリンク信号を送信するように指示することができる。端末デバイスは、コンフィギュレーション情報に基づいて、第１アップリンク信号及び第２アップリンク信号を異なる時間セグメントで異なる方法で送信する。ネットワーク・デバイスはまた、プロトコル仕様やコンフィギュレーション情報に応じて、第１アップリンク信号及び第２アップリンク信号を異なる時間セグメントで異なる方法で受信する。
【０１０７】
第１周期及び第２周期などの情報、ネットワーク・デバイスのスケジューリング情報、第２アップリンク信号の送信を停止することに関する情報などは、コンフィギュレーション・メッセージを用いることにより端末デバイスに指示されてもよいし、あるいはネットワーク・デバイスと端末デバイスとの間で事前に交渉してもよく、具体的にはシステムにより予め設定されてもよいことが、理解されるべきである。これは本発明のこの実施形態で限定されない。
【０１０８】
コンフィギュレーション・メッセージは、端末デバイスが異なる時間セグメントにおいて異なる周期で第１アップリンク信号及び第２アップリンク信号を送信する必要があるかどうかを指示するために使用される指示情報をさらに含んでもよいことが、更に理解されるべきである。例えば、指示情報は、端末デバイスに対して、第１アップリンク信号及び第２アップリンク信号を常に同じ方法で又は同じ周期で送信するように、あるいは第１アップリンク信号及び第２アップリンク信号を、コンフィギュレーション・メッセージに含まれる異なる周期で異なる時間セグメントで送信するように指示することができる。これは本発明のこの実施形態で限定されない。
【０１０９】
第１周期及び第２周期などのコンフィギュレーション情報、ネットワーク・デバイスのスケジューリングに関する情報、第２アップリンク信号の送信を停止することに関する情報は、代替的に、ブロードキャスト・メッセージを用いて端末デバイスや、端末デバイスと同じネットワーク・デバイスのカバレッジに在圏する他の端末デバイスに指示されてもよいことが、更に理解されるべきである。これは本発明のこの実施形態で限定されない。
【０１１０】
コンフィギュレーション・メッセージは、第２周期のコンフィギュレーション情報、ネットワーク・デバイスのスケジューリングのコンフィギュレーション情報、第２アップリンク信号の送信を停止することに関するコンフィギュレーション情報のうちの何れか１つを含んでもよいことが、更に理解されるべきである。更に、コンフィギュレーション・メッセージは、前述の３種類のコンフィギュレーション情報の任意の組み合わせを含んでもよく、端末デバイスは、他の情報や条件に基づいてコンフィギュレーション情報の１つのタイプを選択し、あるいは異なる時間セグメントで異なる方法を実行する。これは本発明のこの実施形態で限定されない。
【０１１１】
オプションとして、実施形態において、第１アップリンク信号は、第１チャネル状態情報ＣＳＩ及び／又は第１サウンディング・リファレンス信号ＳＲＳを含み、第２アップリンク信号は、第２ＣＳＩ及び／又は第２ＳＲＳを含む。
【０１１２】
具体的には、端末デバイスがハードウェアの準備作業を完了した後に、端末デバイスによりネットワーク・デバイスへ送信される第１アップリンク信号は、第１ＣＳＩ及び／又は第１ＳＲＳを含むことができる。第１ＣＳＩは、端末デバイスのプライマリ・セルのチャネル状態及びセカンダリ・セルのチャネル状態をネットワーク・デバイスに通知するために使用され、ネットワーク・デバイスによって実行されるアップリンク・チャネル品質測定を促進する。第１ＳＲＳは、ネットワーク・デバイスのスケジューリングのためにリファレンスを提供し、リファレンス内容は、プライマリ・セルのチャネル品質、及びセカンダリ・セルのチャネル品質であってもよい。ネットワーク・デバイスは、第１ＣＳＩ及び／又は第１ＳＲＳに基づいて、セカンダリ・セルをスケジューリングするためのスケジューリング・コマンドを端末デバイスへ送信する。
【０１１３】
第２アップリンク信号は、第２ＣＳＩ及び／又は第２ＳＲＳを含み、セカンダリ・セルがアクティベートされた後にプライマリ・セル及びセカンダリ・セルのチャネル状態情報をネットワーク・デバイスに報告するために使用され、ネットワーク・デバイスにより実行されるコヒーレント復調及び検出のために使用され、その結果、ネットワーク・デバイス及び端末デバイスは効果的にデータを送信する。
【０１１４】
第２ＣＳＩ及び第１ＣＳＩは同じであってもよいし、異なっていてもよいことは理解されるべきである。第２ＳＲＳ及び第１ＳＲＳは同じであってもよいし、異なっていてもよい。これは本発明のこの実施形態で限定されない。
【０１１５】
第１ＣＳＩ及び第２ＣＳＩは別のセル又はセカンダリ・セルで送信されてもよいことが、更に理解されるべきである。第１ＳＲＳ及び第２ＳＲＳは、セカンダリ・セルで送信されることを必要とする。
【０１１６】
更に、第１アップリンク信号及び第２アップリンク信号は、別のアップリンク信号、例えばアップリンク復調リファレンス信号を更に含んでもよいことが理解されるべきである。これは本発明のこの実施形態で限定されない。
【０１１７】
本発明の実施形態は、更に、セカンダリ・セルをアクティベートするための別の方法２００を更に提供する。方法２００は、図３に示すシナリオに適用されてもよく、確かに、別の通信シナリオにも適用することができる。これは本発明のこの実施形態で限定されない。
【０１１８】
図５に示されるように、方法２００は以下のステップを含む：
【０１１９】
Ｓ２１０．ネットワーク・デバイスは、第３時間ユニットでセカンダリ・セルのアクティベーション・コマンドを端末デバイスへ送信し、相応して、端末デバイスは、第３時間ユニットでセカンダリ・セルのアクティベーション・コマンドを受信する。
【０１２０】
Ｓ２２０．ネットワーク・デバイスは、第３時間ユニットから第１周期を利用して第１パイロット信号を端末デバイスへ送信する。
【０１２１】
Ｓ２３０．端末デバイスは、ネットワーク・デバイスにより送信された第１パイロット信号を、第３時間ユニットから第１周期で受信する。
【０１２２】
Ｓ２４０．ネットワーク・デバイスは、第４時間ユニットを決定し、第４時間ユニットは、最大アクティベーション時間が満了する時間ユニット、又はネットワーク・デバイスがスケジューリング・コマンドを端末デバイスへ送信する時間ユニットである。
【０１２３】
Ｓ２５０．ネットワーク・デバイスは、第４時間ユニットの後に第２周期を利用して、第２パイロット信号を端末デバイスへ送信し、ここで、第２周期は第１周期よりも長い。
【０１２４】
Ｓ２６０．端末デバイスは、ネットワーク・デバイスにより送信された第２パイロット信号を、第４時間ユニットの後に第２周期で受信する
【０１２５】
本発明のこの実施形態で提供されるセカンダリ・セルをアクティベートする方法によれば、セカンダリ・セル・アクティベーション・プロセスにおいて、即ち、端末デバイスがアクティベーション・コマンド及びスケジューリング・コマンドを受信する時間期間において、ネットワーク・デバイスは比較的短い第１周期で第１パイロット信号を端末デバイスへ送信し、端末デバイスがダウンリンク同期に使用される第１パイロット信号を受信する確率が増加し、その結果、端末デバイスがダウンリンク同期をより早期に完了し、ハードウェア準備作業を完了すること、即ちセカンダリ・セルのアクティベーションをより早期に完了させることが可能である。このように、端末デバイスは、セカンダリ・セルは首尾よくアクティベートされていることを通知するために使用されるアップリンク信号を、ネットワーク・デバイスへより早期に送信することができ、ネットワーク・デバイスは、アップリンク信号に基づいてスケジューリング・コマンドをより早期に送信することができる。スケジューリング・コマンドは、データを受信又は送信するように端末デバイスをスケジューリングするために使用される。これは、セカンダリ・セルは首尾よくアクティベートされていることを知るためにネットワーク・デバイスによって使用される時間を短縮し、アクティベーション遅延を減少させることができる。スケジューリング・コマンドを送信した後、ネットワーク・デバイスは、比較的長い第２周期で第２パイロット信号を送信し、その結果、第２パイロット信号を送信するために消費されるネットワーク・リソースは削減され、それにより、セカンダリ・セル・アクティベーション・プロセスにおいて、又はセカンダリ・セルがアクティベートされた後に、ネットワーク・リソースの消費とアクティベーション遅延とがアンバランスであるという問題を解決し、データ伝送効率及びユーザー体験を向上させる。
【０１２６】
具体的には、Ｓ２１０において、ネットワーク・デバイスは、セカンダリ・セルのアクティベーション・コマンドを第３時間ユニットで端末デバイスへ送信し、セカンダリ・セルをアクティベートし始めることを端末デバイスに通知する。相応して、端末デバイスは、第３時間ユニットでセカンダリ・セルのアクティベーション・コマンドを受信する。本願においては、時間ユニット及び瞬間は同じ意味を表してもよく、互いに置き換えられてもよいことが理解されるべきである。例えば、第３時間ユニットは第３時点であってもよく、第３時間ユニットはサブフレーム、スロット、ミニ・スロット、又はｓＴＴＩであってもよい。これは本発明のこの実施形態で限定されない。
【０１２７】
セカンダリ・セルのアクティベーション・コマンドは、ＭＡＣ  ＣＥで送信されてもよいし、あるいはＰＤＣＣＨで送信されてもよいことが、更に理解されるべきである。これは本発明のこの実施形態で限定されない。
【０１２８】
更に、セカンダリ・セルのアクティベーション・コマンドにおけるセカンダリ・セルの追加又は変更シグナリングは、セカンダリ・セル・グループのインデックスの形式で送信されてもよいし、単一のセカンダリ・セルのインデックスの形式で送信されてもよいことが、更に理解されるべきである。これは本発明のこの実施形態で限定されない。
【０１２９】
２２０において、ネットワーク・デバイスは、第３時間ユニットから第１周期で第１パイロット信号を端末デバイスへ送信し、第１パイロット信号は、第１パイロット信号に基づくダウンリンク同期及び有効なチャネル状態情報測定を完了し、最後的に、位相ロック・ループ調整、水晶発振器調整、自動利得制御、無線周波数チェーン・アクティベーション等のハードウェア準備作業を完了するために、端末デバイスにより使用される。端末デバイスは、ハードウェア準備作業を完了した後、例えばＣＳＩ及び／又はＳＲＳであってもよいアップリンク信号をネットワーク・デバイスへ送信し、ハードウェア準備作業が完了したことを端末デバイスに通知する。ネットワーク・デバイスは、アップリンク信号を受信した後、データを受信又は送信するように端末デバイスをスケジューリングするために、スケジューリング・コマンドを端末デバイスへ送信する。相応して、Ｓ２３０において、端末デバイスは、第３時間ユニットから第１周期で、ネットワーク・デバイスによって送信された第１パイロット信号を受信する。
【０１３０】
Ｓ２４０において、ネットワーク・デバイスは第４時間ユニットを決定し、第４時間ユニットは、最大アクティベーション時間が経過する時間ユニット、又はネットワーク・デバイスが端末デバイスへスケジューリング・コマンドを送信する時間ユニットである。
【０１３１】
アップリンク信号を首尾よく受信した後、ネットワーク・デバイスは、データを受信又は送信するように端末デバイスをスケジューリングするために、スケジューリング・コマンドを端末デバイスへ送信する。第４時間ユニットは、ネットワーク・デバイスがスケジューリング・コマンドを端末デバイスへ送信する時間ユニットであってもよい。代替的に第４時間ユニットはまた、ネットワーク・デバイスがアップリンク信号を正しく受信する時間ユニットであってもよい。代替的に、最大アクティベーション持続時間は、システムのコンフィギュレーション情報で設定され、最大アクティベーション時間は、プロトコルで規定又は予め定義され、端末デバイスがアクティベーション・コマンドを受信した時点から、端末デバイスがセカンダリ・セルをアクティベートする時点までの最大時間であり、例えば３ＧＰＰ  ３６．１３３で定義されているようにｎ＋２４ミリ秒又はｎ＋３４ミリ秒である。セカンダリ・セルをアクティベートする最も遅い時間は、（遅くとも）最大アクティベーション時間が満了する時間ユニットより遅くないものとすることができる。ネットワーク・デバイスは、最大アクティベーション時間（最も遅いアクティベーション時間）の時間ユニットが経過すると、ネットワーク・デバイスが第１アップリンク信号を正しく受信しているか否かによらず、スケジューリング・コマンドを端末デバイスへ送信する。従って、第４時間ユニットは、最大アクティベーション時間が満了する時間ユニットであってもよい。例えば、最大アクティベーション時間の値は、２４ｍｓ又は３４ｍｓであってもよいし、２４ｓＴＴＩ又は３４ｓＴＴＩであってもよいし、２４スロット又は３４スロットであってもよい、等々である。これは本発明のこの実施形態で限定されない。
【０１３２】
Ｓ２５０において、ネットワーク・デバイスは、第４時間ユニットの後に第２周期で、第２パイロット信号を端末デバイスへ送信し、第２周期は第１周期よりも長い。
【０１３３】
具体的には、第４時間ユニットの後、第２パイロット信号は、以前にスケジューリング・コマンドが送信される場合に行われていたのと同様に端末デバイスへ頻繁に送信される必要はない。従って、ネットワーク・デバイスは、第２周期で第２パイロット信号を端末デバイスへ送信し、第２周期は第１周期よりも長い。第２パイロット信号は、後続のデータ伝送を促進するために、ネットワーク・デバイスと端末デバイスとの間で実行される後続のコヒーレント復調及び検出、チャネル品質測定などのために使用される。相応して、端末デバイスは、Ｓ２６０において、ネットワーク・デバイスにより送信された第２パイロット信号を、第４時間ユニットの後に第２周期で受信する。
【０１３４】
ネットワーク・デバイスは、第４時間ユニットの後に、ネットワーク・リソースの消費が削減され得る別の方法で、例えば非周期的な方法で、第２パイロット信号を端末デバイスへ代替的に送信してもよいことが、理解されるべきである。これは本発明のこの実施形態で限定されない。
【０１３５】
第１周期は、システムで指定された周期であってもよく、例えば１ｍｓであってもよいし、別の値であってもよいことが、更に理解されるべきである。オプションとして、より短い第１周期は、より短いアクティベーション時間を示す。例えば、第１周期は１ｍｓ、１ｓＴＴＩ、等々であってもよい。第２周期は第１周期より長い。オプションとして、より長い周期は、ネットワーク・リソースのより少ない消費を示す。
【０１３６】
第１パイロット信号を端末デバイスへ送信した後、ネットワーク・デバイスは端末デバイスにより送信されたアップリンク信号を周期的に受信することが、更に理解されるべきである。ネットワーク・デバイスがより早期にアップリンク信号を受信する場合、ネットワーク・デバイスもまた、セカンダリ・セルのアクティベーションが完了したことをより早期に知ることを、理解することができる。即ち、ネットワーク・デバイスは、比較的短い第１周期で第１パイロット信号を送信し、端末デバイスは、第１パイロット信号に基づいて、ダウンリンク同期及びハードウェア準備作業をより早期に完了し、即ちより早期にセカンダリ・セルのアクティベーションを完了する。そして端末デバイスは比較的短い周期でアップリンク信号をネットワーク・デバイスへ送信する。セカンダリ・セルがアクティベートされていることをネットワーク・デバイスに通知するために使用される時間は、短縮されることが可能である。アクティベーション遅延は更に効果的に短縮されることが可能である。セカンダリ・セルがアクティベートされた後、ネットワーク・デバイスは、比較的長い第２周期で第２パイロット信号を送信し、端末デバイスは、比較的長い第２周期で又はスケジューリングに基づいて第２アップリンク信号を送信し、そのため、ネットワーク・リソースはより効果的に節約されることが可能である。
【０１３７】
本発明の実施形態で提供されるセカンダリ・セルをアクティベートする方法によれば、アクティベーション・プロセスにおいて、ネットワーク・デバイスは、比較的短い第１周期で第１パイロット信号を端末デバイスへ送信し、そのため、端末デバイスはより早期にセカンダリ・セルのアクティベーションを完了することができる。このように、端末デバイスは、セカンダリ・セルのアクティベーションが完了していることを通知するために使用されるアップリンク信号を、より早期にネットワーク・デバイスへ送信することができる。従って、ネットワーク・デバイスは、アップリンク信号に基づいてスケジューリング・コマンドをより早期に送信することができ、それによってアクティベーション遅延を低減する。活性化が完了した後、ネットワーク・デバイスは、比較的長い第２周期で第２パイロット信号を送信し、第２パイロット信号を送信するために消費されるネットワーク・リソースは削減され、それによって、ネットワーク・リソースの消費とアクティベーション遅延とが、セカンダリ・セル・アクティベーション・プロセスにおいて、又はセカンダリ・セルがアクティベートされた後にアンバランスであるという問題を解決し、データ伝送効率及びユーザー体験を向上させる。
【０１３８】
オプションとして、実施形態においてＳ２１０の前に方法は更に以下のステップを含む。
【０１３９】
Ｓ２０９．ネットワーク・デバイスは、セカンダリ・セルのコンフィギュレーション・メッセージを送信し、コンフィギュレーション・メッセージは第１周期のコンフィギュレーション情報と第２周期のコンフィギュレーション情報とを含む。
【０１４０】
具体的には、ネットワーク・デバイスが端末デバイスへアクティベーション・コマンドを送信する前に、ネットワーク・デバイスがセカンダリ・セルのコンフィギュレーション・メッセージを端末デバイスへ送信する。セカンダリ・セルのコンフィギュレーション・メッセージは、ＲＲＣリコンフィギュレーション・メッセージであってもよい。コンフィギュレーション・メッセージは、セカンダリ・セル追加又は修正シグナリングを含む。例えば、端末デバイスは、セカンダリ・セル追加シグナリングに基づいて、コンフィギュレーション・メッセージにおけるキャリアを、セカンダリ・セルが配置されるキャリアとして追加し、次いでセカンダリ・セルはインアクティブ状態になる。コンフィギュレーション・メッセージは第１周期のコンフィギュレーション情報と第２周期のコンフィギュレーション情報とを更に含む。ネットワーク・デバイスは、プロトコル仕様に従って、及び、第１周期及び第２周期で第１パイロット信号及び第２パイロット信号を送信するようにネットワーク・デバイスに指示するために使用されるコンフィギュレーション・メッセージ又は他の指示情報に基づいて、第１パイロット信号及び第２パイロット信号を送信する。例えば、指示情報は、第１アップリンク信号及び第２パイロット信号を異なる時間セグメントで異なる方法で送信するようにネットワーク・デバイスに指示するために使用されることができる。ネットワーク・デバイスは、情報に従って、第１パイロット信号及び第２パイロット信号を、異なる時間セグメントで異なる周期で送信する。端末もまた、リコンフィギュレーション情報及び指示情報に基づいて、異なる時間セグメントで異なる周期で第１パイロット信号及び第２パイロット信号を受信する。
【０１４１】
第１周期、第２周期等の情報は、コンフィギュレーション・メッセージを用いて端末デバイスに通知されてもよいし、あるいはネットワーク・デバイスと端末デバイスとにより事前に交渉してもよいし、言い換えれば、システムによって事前に設定されていてもよいことが、理解されるべきである。これは本発明のこの実施形態で限定されない。
【０１４２】
コンフィギュレーション・メッセージはネットワーク・デバイスが異なる時間セグメントにおいて異なる周期で第１パイロット信号を送信する必要があるかどうかを示すために使用される指示情報を更に含んでもよいことが理解されるべきである。例えば、指示情報は、第１パイロット信号及び第２パイロット信号を常に同じ周期で送信するようにネットワーク・デバイスに指示してもよいし、あるいはコンフィギュレーション・メッセージに含まれる異なる周期で異なる時間セグメントにおいて第１アップリンク信号及び第２パイロット信号を送信してもよい。即ち、ネットワーク・デバイスは、第１パイロット信号がセカンダリ・セル・アクティベーション・プロセスにおいて第１周期で送信されることを必要とするかどうか、及び第２パイロット信号がセカンダリ・セルがアクティベートされた後に第２周期で送信されることを必要とするかどうかを、指示情報に基づいて決定することができる。これは本発明のこの実施形態で限定されない。
【０１４３】
第１周期、第２周期等の情報は、ブロードキャスト・メッセージ又はＲＲＣ専用シグナリングを用いて他の端末デバイスへ更に通知されてもよく、他の端末デバイスは、第１パイロット信号の周期情報に基づいてデータを受信し、ダウンリンク同期プロセスをより早期に完了し得ることが、更に理解されるべきである。これは本発明のこの実施形態で限定されない。
【０１４４】
オプションとして、実施形態において、第１パイロット信号は、第１復調リファレンス信号ＤＭＲＳ及び／又は第１ビーム・パイロット信号を含み、第２パイロット信号は第２ＤＭＲＳ及び／又は第２ビーム・パイロット信号を含む。
【０１４５】
具体的には、ネットワーク・デバイスがアクティベーション・コマンドを端末デバイスへ送信した後、端末デバイスへ送信される第１パイロット信号は、第１復調リファレンス信号（ｄｅｍｏｄｕｌａｔｉｏｎ  ｒｅｆｅｒｅｎｃｅ  ｓｉｇｎａｌ，ＤＭＲＳ）及び／又は第１ビーム・パイロット信号を含む。第１ＤＭＲＳ及び／又は第１ビーム・パイロット信号は、関連する検出及びデータ復調のために端末デバイスによって使用される。端末デバイスは、ダウンリンク同期及び有効なチャネル状態情報測定を完了し、第１ＤＭＲＳ及び／又は第１ビーム・パイロット信号に基づいてハードウェア準備作業を完了する。ハードウェア準備作業が完了した後に、アップリンク信号がネットワーク・デバイスへ送信される。
【０１４６】
セカンダリ・セルがアクティベートされた後、第２ＤＭＲＳ及び／又は第２ビーム・パイロット信号は、ネットワーク・デバイスと端末デバイスとの間の有効なデータ伝送を促進するために、ネットワーク・デバイスと端末デバイスとの間で実行される以後のコヒーレント復調及び検出、チャネル品質測定などのために使用される。
【０１４７】
第２ビーム・パイロット信号及び第１ビーム・パイロット信号は、同一であってもよいし、異なっていてもよいことが理解されるべきである。第２ＤＭＲＳ及び第１ＤＭＲＳは、同一であってもよいし、異なっていてもよい。これは本発明のこの実施形態で限定されない。
【０１４８】
第１パイロット信号及び第２パイロット信号は、別のダウンリンク信号、例えばビーム・リファレンス信号、セル固有リファレンス信号（ｃｅｌｌ−ｓｐｅｃｉｆｉｃ  ｒｅｆｅｒｅｎｃｅ  ｓｉｇｎａｌｓ，ＣＲＳ）、プライマリ同期信号（ｐｒｉｍａｒｙ  ｓｙｎｃｈｒｏｎｉｚａｔｉｏｎ  ｓｉｇｎａｌ，ＳＳＳ）、セカンダリ同期信号（ｓｅｃｏｎｄａｒｙ  ｓｙｎｃｈｒｏｎｉｚａｔｉｏｎ  ｓｉｇｎａｌ，ＰＳＳ）、同期信号（ｓｙｎｃｈｒｏｎｉｚａｔｉｏｎ  ｓｉｇｎａｌ，ＳＳ）ブロック、復調リファレンス信号、ロケーション・リファレンス信号、及びチャンネル状態情報リファレンス信号を更に含んでもよいことが、更に理解されるべきである。これは本発明のこの実施形態で限定されない。
【０１４９】
本発明の実施形態は、更に、セカンダリ・セルをアクティベートする方法３００を提供する。方法３００は、図３に示されるシナリオに適用されることができ、確かに、別の通信シナリオにも適用され得る。これは本発明のこの実施形態で限定されない。
【０１５０】
図６に示されるように、方法３００は以下のステップを含む：
【０１５１】
Ｓ３１０．ネットワーク・デバイスは指示情報を端末デバイスへ送信し、その指示情報は、ハードウェア準備作業を開始するように端末デバイスに指示するために使用される。
【０１５２】
Ｓ３２０．端末デバイスは指示情報を受信し、指示情報に基づいて無線リソース管理ＲＲＭメジャーメント、ＣＳＩメジャーメント、ダウンリンク同期、及びハードウェア準備作業のうちの少なくとも１つを開始する。
【０１５３】
Ｓ３３０．ネットワーク・デバイスが指示情報を送信した後、ネットワーク・デバイスは、第１時間ユニットでセカンダリ・セルのアクティベーション・コマンドを端末デバイスへ送信する。
【０１５４】
Ｓ３４０．端末デバイスは、第１時間ユニットでセカンダリ・セルのアクティベーション・コマンドを受信し、第１時間ユニットから第１周期を利用して第１アップリンク信号をネットワーク・デバイスへ送信する。相応して、ネットワーク・デバイスは、端末デバイスによって送信された第１アップリンク信号を第１周期で受信する。
【０１５５】
本発明の実施形態で提供されるセカンダリ・セルをアクティベートする方法によれば、端末デバイスは、ネットワーク・デバイスにより送信されたセカンダリ・セルのアクティベーション・コマンドを受信するまで、ハードウェア準備作業を開始することを待機する必要はなく、むしろセカンダリ・セルのアクティベーション・コマンドを受信する前であって、ネットワーク・デバイスにより送信された指示情報を受信した後に、ハードウェア準備作業を開始する。指示情報は、代替的に、アクティベーション・コマンドであってもよい。こうして、ハードウェア準備作業はより早期に完了することが可能である。セカンダリ・セルのアクティベーション・コマンドを受信した後、端末デバイスは、第１周期で第１アップリンク信号をネットワーク・デバイスへ送信し、その結果、ネットワーク・デバイスは、セカンダリ・セルが首尾よくアクティベートされていることをより早期に知ることができ、セカンダリ・セルが首尾よくアクティベートされていることを知るためにネットワーク・デバイスにより使用される時間は短縮され、アクティベーション遅延が低減され、ネットワーク・デバイスは、セカンダリ・セルをより早期にスケジューリングすることができる。
【０１５６】
オプションとして、実施形態において方法３００は更に以下のステップを含む。
【０１５７】
Ｓ３５０．端末デバイスは第２時間ユニットを決定し、第２時間ユニットは、最大アクティベーション時間が満了する時間ユニット、又はネットワーク・デバイスによって送信されたスケジューリング・コマンドが受信される時間ユニットである。
【０１５８】
Ｓ３６０．端末デバイスは、第２周期を利用して、又は第２時間ユニットの後のネットワーク・デバイスのスケジューリングに基づいて、第２アップリンク信号をネットワーク・デバイスへ送信し、第２周期は第１周期より長い。相応して、ネットワーク・デバイスは、端末デバイスによって送信された第２アップリンク信号を第２周期で受信するか、又は、ネットワーク・デバイスのスケジューリングに基づいて、端末デバイスによって送信された第２アップリンク信号を受信する。
【０１５９】
本発明の実施形態で提供されるセカンダリ・セルをアクティベートする方法によれば、端末デバイスは、セカンダリ・セルのアクティベーション・コマンドを受信するので、端末デバイスは、比較的短い第１周期で第１アップリンク信号をネットワーク・デバイスへ送信し、そのため、ネットワーク・デバイスは、セカンダリ・セルが首尾よくアクティベートされていることをより早期に知ることができ、セカンダリ・セルが首尾よくアクティベートされていることを知るためにネットワーク・デバイスにより使用される時間は短縮され、アクティベーション遅延は短縮される。スケジューリング・コマンドを受信した後、あるいは、最大アクティベーション時間が経過した後、端末デバイスは、比較的長い第２周期で又はネットワーク・デバイスのスケジューリングに基づいて、第２アップリンク信号を送信し、第２アップリンク信号を送信するために消費されるネットワーク・リソースが削減され、それによって、ネットワーク・リソースの消費とアクティベーション遅延が、セカンダリ・セルのアクティベーション・プロセスにおいて、又はセカンダリ・セルのアクティベーション後にアンバランスであるという問題を解決し、データ伝送効率とユーザ体験を向上させる。
【０１６０】
オプションとして、実施形態において、端末デバイスは、指示情報を受信した後に、無線リソース管理（ｒａｄｉｏ  ｒｅｓｏｕｒｃｅ  ｍａｎａｇｅｍｅｎｔ，ＲＲＭ）メジャーメント、ＣＳＩメジャーメント、ダウンリンク同期、ハードウェア準備作業のうちの少なくとも１つを実行し、ハードウェア準備作業は、位相ロック・ループ調整、水晶発振器調整、自動利得制御、及び無線周波数チェーン・アクティベーションのうちの少なくとも１つを含む。これは本発明のこの実施形態で限定されない。
【０１６１】
オプションとして、実施形態において、セカンダリ・セルのアクティベーション・コマンド及び指示情報は、ＭＡＣ  ＣＥの形式で送信されてもよいし、あるいは物理レイヤ・シグナリングの形式で送信されてもよい。これは本発明のこの実施形態で限定されない。
【０１６２】
オプションとして、実施形態において、端末デバイスが指示情報を受信する前に、方法は更に：ネットワーク・デバイスにより送信されたセカンダリ・セルのコンフィギュレーション・メッセージを、端末デバイスにより受信するステップを含み、セカンダリ・セルのコンフィギュレーション・メッセージは、ＲＲＭメジャーメントの周期情報、ＣＳＩメジャーメントの周期、第１周期のコンフィギュレーション、及び第２周期のコンフィギュレーション情報のうちの少なくとも１つを含む。
【０１６３】
オプションとして、実施形態において、第１アップリンク信号は、第１チャネル状態情報ＣＳＩ及び／又は第１サウンディング・リファレンス信号ＳＲＳを含み、第２アップリンク信号は、第２ＣＳＩ及び／又は第２ＳＲＳを含む。
【０１６４】
上述の様々な実施形態は、方法１００及び方法２００における対応するステップに類似していることが理解されるべきである。簡潔性のため、詳細はここでは再び説明されない。
【０１６５】
プロセス及びステップのシーケンス番号は、本発明の様々な実施形態における実行シーケンスを意味しないことが、更に理解されるべきである。プロセスの実行シーケンスは、プロセスの機能及び内部論理に依存するはずであり、本発明の実施形態の実装プロセスに対する如何なる制限としても解釈されるべきではない。
【０１６６】
図１ないし図６に関し、上記は本発明の実施形態によるセカンダリ・セルをアクティベートする方法を詳細に述べている。図７ないし図１８に関し、以下、本発明の実施形態による通信装置及びネットワーク・デバイスを詳細に説明する。
【０１６７】
図７は、本発明の実施形態による通信装置４００の概略ブロック図である。通信装置は、上記の端末デバイスであってもよく、通信装置の実施形態及び方法の実施形態は互いに対応していることが、理解されるべきである。類似する説明については、方法の実施形態を参照されたい。図７に示される通信装置４００は、図４で端末デバイスによって実行される対応するステップを実行するように構成されることが可能である。通信装置４００は：プロセッサ４１０、メモリ４２０、及びトランシーバ４３０を含む。プロセッサ４１０、メモリ４２０、及びトランシーバ４３０は、通信を通じて接続される。メモリ４２０は命令を格納する。プロセッサ４１０は、メモリ４２０に格納された命令を実行するように構成される。プロセッサ４１０によって駆動されるトランシーバ４３０は、特定の信号を送信又は受信するように構成される。
【０１６８】
トランシーバ４３０は、ネットワーク・デバイスにより送信されたセカンダリ・セルのアクティベーション・コマンドを受信した後、第１時間ユニットから第１周期を利用して第１アップリンク信号をネットワーク・デバイスへ送信するように構成される。
【０１６９】
プロセッサ４１０は第２時間ユニットを決定するように構成されており、第２時間ユニットは、最大アクティベーション時間が満了する時間ユニット、又はネットワーク・デバイスによって送信されるスケジューリング・コマンドが受信される時間ユニットである。
【０１７０】
トランシーバ４３０は、第２周期を利用して、又は第２時間ユニットの後のネットワーク・デバイスのスケジューリングに基づいて、第２アップリンク信号をネットワーク・デバイスへ送信するように更に構成され、第２周期は第１周期よりも長い。
【０１７１】
本発明のこの実施形態で提供される通信装置によれば、セカンダリ・セル・アクティベーション・プロセスにおいて、即ち通信装置がアクティベーション・コマンドを受信した第１時間ユニットから、通信装置がスケジューリング・コマンドを受信した時間ユニット、又は最大アクティベーション時間が経過した時間ユニットまでの間において、第１アップリンク信号は比較的短い第１周期でネットワーク・デバイスへ送信され、ネットワーク・デバイスが、セカンダリ・セルがアクティベートされていることを通知するために使用される第１アップリンク信号を受信する確率が増加し、そのため、ネットワーク・デバイスは第１アップリンク信号をより早期に受信し、第１アップリンク信号に基づいてスケジューリング・コマンドを通信装置へより早期に送信することができる。これは、セカンダリ・セルが首尾よくアクティベートされていることを知るためにネットワーク・デバイスによって使用される時間を短縮し、アクティベーション遅延を短縮する。スケジューリング・コマンドを受信した後、通信装置は、比較的長い第２周期で、又はネットワーク・デバイスのスケジューリングに基づいて、第２アップリンク信号を送信し、そのため、第２アップリンク信号を送信するために消費されるネットワーク・リソースが削減され、それによりネットワーク・リソースの消費及びアクティベーション遅延が、セカンダリ・セルアクティベーション・プロセスにおいて、又はセカンダリ・セルがアクティベートされた後にアンバランスであるという問題を解決し、データ伝送効率及びユーザー体験を向上させる。
【０１７２】
通信装置４００内のコンポーネントは通信を通じて接続され、即ちプロセッサ４１０、メモリ４２０、送受信機４３０は、制御及び／又はデータ信号を転送するために、内部接続経路を使用することにより互いに通信する。本願の前述の方法の実施形態は、プロセッサに適用されてもよいし、あるいはプロセッサは前述の方法の実施形態のステップを実行してもよい。プロセッサは、集積回路チップであってもよく、信号処理能力を有する。実装プロセスにおいて、前述の方法の実施形態におけるステップは、プロセッサ内のハードウェア集積論理回路を使用することによって、又はソフトウェアの形式で命令を使用することによって完了することができる。プロセッサは、中央処理装置（ｃｅｎｔｒａｌ  ｐｒｏｃｅｓｓｉｎｇ  ｕｎｉｔ，ＣＰＵ）、ネットワーク・プロセッサ（ｎｅｔｗｏｒｋ  ｐｒｏｃｅｓｓｏｒ，ＮＰ）、ＣＰＵとＮＰの組み合わせ、ディジタル信号プロセッサ（ｄｉｇｉｔａｌ  ｓｉｇｎａｌ  ｐｒｏｃｅｓｓｏｒ，ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ，ＡＳＩＣ）、フィールドプログラマブルゲートアレイ（ｆｉｅｌｄ  ｐｒｏｇｒａｍｍａｂｌｅ  ｇａｔｅ  ａｒｒａｙ，ＦＰＧＡ）又は他のプログラマブル論理デバイス、個別ゲート又はトランジスタ論理デバイス、又は個別ハードウェア・コンポーネントであってもよい。本願において開示される方法、ステップ、及び論理ブロック図は実装又は実行されることが可能である。汎用プロセッサは、マイクロプロセッサであってもよいし、又はプロセッサは任意の従来のプロセッサ等であってもよい。本願で開示される方法のステップは、ハードウェア復号化プロセッサを使用することによって直接的に実行及び完了されてもよいし、又は復号化プロセッサ内のハードウェア及びソフトウェア・モジュールの組み合わせを使用することによって実行及び完了されてもよい。ソフトウェア・モジュールは、ランダム・アクセス・メモリ、フラッシュ・メモリ、リード・オンリ・メモリ、プログラマブル・リード・オンリ・メモリ、電気的に消去可能なプログラマブル・メモリ、又はレジスタのような、当該技術分野で成熟している記憶媒体に配置されることが可能である。記憶媒体はメモリに配置され、プロセッサはメモリ内の情報を読み込み、プロセッサのハードウェアとの組み合わせで前述の方法のステップを完了する。
【０１７３】
オプションとして、本発明の別の実施形態では、セカンダリ・セルのアクティベーション・コマンドを受信する前に、トランシーバ４３０は、更に、ネットワーク・デバイスにより送信されたセカンダリ・セルのコンフィギュレーション・メッセージを受信するように構成され、通信装置は、ネットワーク・デバイスにより送信されたセカンダリ・セルのコンフィギュレーション・メッセージを受信し、コンフィギュレーション・メッセージは、第２周期のコンフィギュレーション情報、ネットワーク・デバイスのスケジューリングのコンフィギュレーション情報、及び第１周期のコンフィギュレーション情報のうちの少なくとも１つを含む。
【０１７４】
オプションとして、本発明の別の実施形態では、トランシーバ４３０によって送信される第１アップリンク信号は、第１チャネル状態情報ＣＳＩ及び／又は第１サウンディング・リファレンス信号ＳＲＳを含み、トランシーバ４３０によって送信される第２アップリンク信号は第２ＣＳＩ及び／又は第２ＳＲＳを含む。
【０１７５】
本発明の別の実施形態では、第１時間ユニットは、通信装置が第１アップリンク信号をネットワーク・デバイスへ送信することが可能な時間ユニットである。
【０１７６】
本発明のこの実施形態では、プロセッサ４１０は処理モジュールによって実装されてもよく、メモリ４２０は記憶モジュールによって実装されてもよく、トランシーバ４３０はトランシーバ・モジュールによって実装されてもよいことに留意すべきである。図８に示すように、通信装置５００は、処理モジュール５１０、記憶モジュール５２０、及びトランシーバ・モジュール５３０を含んでもよい。
【０１７７】
図７に示される通信装置４００又は図８に示される通信装置５００は、図４において端末デバイスによって実行されるステップを実装することが可能である。繰り返しを避けるために、詳細はここで再び説明されない。
【０１７８】
図９は、本発明の実施形態によるネットワーク・デバイス６００の概略ブロック図である。ネットワーク・デバイスの実施形態及び方法の実施形態は、互いに対応していることが理解されるべきである。類似する説明については、方法の実施形態を参照されたい。図９に示すように、ネットワーク・デバイス６００は、プロセッサ６１０、メモリ６２０、及びトランシーバ６３０を含む。プロセッサ６１０、メモリ６２０、及びトランシーバ６３０は通信を通じて接続される。メモリ６２０は命令を格納する。プロセッサ６１０は、メモリ６２０に格納された命令を実行するように構成される。プロセッサ６１０によって駆動されるトランシーバ６３０は、特定の信号を送信又は受信するように構成される。
【０１７９】
トランシーバ６３０は：セカンダリ・セルのアクティベーション・コマンドを端末デバイスへ送信した後に、ネットワーク・デバイスによって送信された第１アップリンク信号を、第１時間ユニットから第１周期を利用して、端末デバイスによって受信するように構成される。
【０１８０】
プロセッサ６１０は第２時間ユニットを決定するように構成され、第２時間ユニットは、最大アクティベーション時間が満了する時間ユニット、又はスケジューリング・コマンドが端末デバイスへ送信される時間ユニットである。
【０１８１】
トランシーバ６３０は、更に、第２周期を利用して、又は第２時間ユニットの後のネットワーク・デバイスのスケジューリングに基づいて、端末デバイスによって送信される第２アップリンク信号を受信するように構成され、第２周期は第１周期よりも長い。
【０１８２】
本発明のこの実施形態で提供されるネットワーク・デバイスによれば、セカンダリ・セルアクティベーション・プロセスにおいて、即ちアクティベーション・コマンドが送信された第１時間ユニットから、スケジューリング・コマンドが送信された時間ユニット、又は最大アクティベーション時間が経過した時間ユニットまでの時間期間において、第１アップリンク信号が比較的短い第１周期で受信され、セカンダリ・セルがアクティベートされていることを通知するために使用される第１アップリンク信号をネットワーク・デバイスが受信する確率が増加し、そのため、ネットワーク・デバイスが第１アップリンク信号をより早期に受信し、第１アップリンク信号に基づいてスケジューリング・コマンドを端末デバイスへより早期に送信することができる。これは、セカンダリ・セルが首尾よくアクティベートされていることを知るためにネットワーク・デバイスによって使用される時間を短縮し、アクティベーション遅延が短縮される。スケジューリング・コマンドを送信した後、ネットワーク・デバイスは、比較的長い第２周期で、又はネットワーク・デバイスのスケジューリングに基づいて、第２アップリンク信号を受信し、第２アップリンク信号に消費されるネットワーク・リソースが削減され、それによって、ネットワーク・リソースの消費とアクティベーション遅延が、セカンダリ・セルアクティベーション・プロセスにおいて、又はセカンダリ・セルがアクティベートされた後にアンバランスであるという問題を解決し、データ伝送効率及びユーザー体験を向上させる。
【０１８３】
ネットワーク・デバイス６００内のコンポーネントは通信を通じて接続され、即ち、プロセッサ６１０、メモリ６２０、及びトランシーバ６３０は、制御及び／又はデータ信号を転送するために、内部接続経路を使用することにより互いに通信する。本願の前述の方法の実施形態はプロセッサに適用されてもよく、又はプロセッサは前述の方法の実施形態のステップを実行してもよい。プロセッサは、集積回路チップであってもよく、信号処理能力を有する。実装プロセスにおいて、前述の方法の実施形態のステップは、プロセッサ内のハードウェア集積論理回路を使用することによって、又はソフトウェアの形式で命令を使用することによって完了することが可能である。プロセッサは、ＣＰＵ、ネットワーク・プロセッサＮＰ、ＣＰＵとＮＰの組み合わせ、ＤＳＰ、ＡＳＩＣ、ＦＰＧＡ又は他のプログラマブル論理デバイス、個別ゲート又はトランジスタ論理デバイス、又は個別ハードウェア・コンポーネントであってもよい。本願において開示される方法、ステップ、及び論理ブロック図は、実装又は実行されることが可能である。汎用プロセッサは、マイクロプロセッサであってもよく、又はプロセッサは任意の従来のプロセッサ等であってもよい。本願で開示される方法のステップは、ハードウェア復号化プロセッサを使用することによって直接的に実行及び完了されてもよいし、又は復号化プロセッサ内のハードウェア及びソフトウェア・モジュールの組み合わせを使用することによって実行及び完了されてもよい。ソフトウェア・モジュールは、ランダム・アクセス・メモリ、フラッシュ・メモリ、リード・オンリ・メモリ、プログラマブル・リード・オンリ・メモリ、電気的に消去可能なプログラマブル・メモリ、又はレジスタのような、当該技術分野で成熟している記憶媒体に配置されることが可能である。記憶媒体はメモリに配置され、プロセッサはメモリ内の情報を読み込み、プロセッサのハードウェアとの組み合わせで前述の方法のステップを完了する。
【０１８４】
オプションとして、本発明の別の実施形態では、セカンダリ・セルのアクティベーション・コマンドを送信する前に、トランシーバ６３０は、更に、セカンダリ・セルのコンフィギュレーション・メッセージを端末デバイスへ送信するように構成され、端末デバイスは、ネットワーク・デバイスにより送信されるセカンダリ・セルのコンフィギュレーション・メッセージを受信し、コンフィギュレーション・メッセージは、第２周期のコンフィギュレーション情報、ネットワーク・デバイスのスケジューリングのコンフィギュレーション情報、及び第１周期のコンフィギュレーション情報のうちの少なくとも１つを含む。
【０１８５】
オプションとして、本発明の別の実施形態では、トランシーバ６３０によって受信される第１アップリンク信号は、第１チャネル状態情報ＣＳＩ及び／又は第１サウンディング・リファレンス信号ＳＲＳを含み、トランシーバによって受信される第２アップリンク信号は、第２ＣＳＩ及び／又は第２ＳＲＳを含む。
【０１８６】
本発明の別の実施形態では、第１時間ユニットは、端末デバイスが第１アップリンク信号をネットワーク・デバイスへ送信することができる時間ユニットである。
【０１８７】
本発明のこの実施形態では、プロセッサ６１０は処理モジュールによって実装されてもよいし、メモリ６２０は記憶モジュールによって実装されてもよいし、トランシーバ６３０はトランシーバ・モジュールによって実装されてもよいことに留意すべきである。図１０に示されるように、ネットワーク・デバイス７００は、処理モジュール７１０、記憶モジュール７２０、及びトランシーバ・モジュール７３０を含んでもよい。
【０１８８】
図９に示されるネットワーク・デバイス６００又は図１０に示されるネットワーク・デバイス７００は、図４においてネットワーク・デバイスによって実行されるステップを実行することができる。繰り返しを避けるために、詳細はここでは再び説明されない。
【０１８９】
図１１は、本発明の実施形態によるネットワーク・デバイスの概略ブロック図である。ネットワーク・デバイスの実施形態及び方法の実施形態は互いに対応していることが理解されるべきである。類似する説明については方法の実施形態を参照されたい。図１１に示すネットワーク・デバイス８００は、図５のネットワーク・デバイスによって実行される対応するステップを実行するように構成されることが可能である。ネットワーク・デバイス８００は：プロセッサ８１０、メモリ８２０、及びトランシーバ８３０を含む。プロセッサ８１０、メモリ８２０、及びトランシーバ８３０は、通信を通じて接続される。メモリ８２０は命令を格納する。プロセッサ８１０は、メモリ８２０に格納された命令を実行するように構成される。プロセッサ８１０によって駆動されるトランシーバ８３０は、特定の信号を送信又は受信するように構成される。
【０１９０】
トランシーバ８３０は、セカンダリ・セルのアクティベーション・コマンドを端末デバイスへ、第３時間ユニットで送信するように構成される。
【０１９１】
トランシーバ８３０は、更に、第３時間ユニットから第１周期を利用して、第１パイロット信号を端末デバイスへ送信するように構成される。
【０１９２】
プロセッサ８１０は第４時間ユニットを決定するように構成され、第４時間ユニットは、最大アクティベーション時間が満了する時間ユニット、又はネットワーク・デバイスがスケジューリング・コマンドを端末デバイスへ送信する時間ユニットである。
【０１９３】
トランシーバ８３０は、更に、第４時間ユニットの後に第２周期を使用して、第２パイロット信号を端末デバイスへ送信するように構成され、第２周期は第１周期よりも長い。
【０１９４】
本発明のこの実施形態で提供されるネットワーク・デバイスによれば、セカンダリ・セル・アクティベーション・プロセスにおいて、即ち、ネットワーク・デバイスがアクティベーション・コマンドを送信し、スケジューリング・コマンドを送信する時間期間において、ネットワーク・デバイスは、比較的短い第１周期で第１パイロット信号を端末デバイスへ送信し、端末デバイスがダウンリンク同期に使用される第１パイロット信号を受信する確率が増加し、そのため、端末デバイスはダウンリンク同期をより早期に完了し、ハードウェア準備作業を完了することができ、即ち、セカンダリ・セルのアクティベーションをより早期に完了することができる。こうして、端末デバイスは、セカンダリ・セルが首尾よくアクティベートされていることを通知するために使用されるアップリンク信号を、より早期にネットワーク・デバイスへ送信することができ、ネットワーク・デバイスは、アップリンク信号に基づいて、スケジューリング・コマンドをより早期に送信することができる。これは、セカンダリ・セルが首尾よくアクティベートされていることを知るためにネットワーク・デバイスによって使用される時間を短縮し、アクティベーション遅延を短縮することができる。スケジューリング・コマンドを送信した後、ネットワーク・デバイスは、比較的長い第２周期で第２パイロット信号を送信し、そのため、第２パイロット信号を送信するために消費されるネットワーク・リソースは削減され、それにより、セカンダリ・セル・アクティベーションプロセスにおいて、又はセカンダリ・セルがアクティベートされた後に、ネットワーク・リソースの消費及びアクティベーション遅延がアンバランスであるという問題を解決し、データ伝送効率及びユーザー体験を向上させる。
【０１９５】
ネットワーク・デバイス８００内のコンポーネントは、通信によって接続され、即ち、プロセッサ８１０、メモリ８２０、及びトランシーバ８３０は、制御及び／又はデータ信号を転送するために、内部接続経路を使用することにより互いに通信する。本願の前述の方法の実施形態はプロセッサに適用されてもよく、又はプロセッサは前述の方法の実施形態のステップを実行する。プロセッサは、集積回路チップであってもよく、信号処理能力を有する。実装プロセスにおいて、前述の方法の実施形態のステップは、プロセッサ内のハードウェア集積論理回路を使用することによって、又はソフトウェアの形式で命令を使用することによって完了することができる。プロセッサは、ＣＰＵ、ネットワーク・プロセッサＮＰ、ＣＰＵとＮＰの組み合わせ、ＤＳＰ、ＡＳＩＣ、ＦＰＧＡ又は他のプログラマブル論理デバイス、個別ゲート又はトランジスタ論理デバイス、又は個別ハードウェア・コンポーネントであってもよい。本願において開示される方法、ステップ、及び論理ブロック図は、実装又は実行されることが可能である。汎用プロセッサはマイクロプロセッサであってもよく、又はプロセッサは任意の従来のプロセッサ等であってもよい。本願で開示される方法のステップは、ハードウェア復号化プロセッサを使用することによって直接的に実行及び完了されてもよいし、又は復号化プロセッサ内のハードウェア及びソフトウェア・モジュールの組み合わせを使用することによって実行及び完了されることが可能である。ソフトウェア・モジュールは、ランダム・アクセス・メモリ、フラッシュ・メモリ、リード・オンリ・メモリ、プログラマブル・リード・オンリ・メモリ、電気的に消去可能なプログラマブル・メモリ、又はレジスタのような、当該技術分野で成熟している記憶媒体に配置することができる。記憶媒体はメモリに配置され、プロセッサはメモリ内の情報を読み込み、プロセッサのハードウェアとの組み合わせで前述の方法のステップを完了する。
【０１９６】
オプションとして、本発明の別の実施形態では、セカンダリ・セルのアクティベーション・コマンドを送信する前に、トランシーバ８３０は、更に、セカンダリ・セルのコンフィギュレーション・メッセージを端末デバイスへ送信するように構成され、コンフィギュレーション・メッセージは、第１周期のコンフィギュレーション情報及び第２周期のコンフィギュレーション情報を含む。
【０１９７】
オプションとして、本発明の別の実施形態では、トランシーバ８３０によって送信される第１パイロット信号は、第１セル固有のリファレンス信号ＣＲＳ及び／又は第１復調リファレンス信号ＤＭＲＳを含み、トランシーバ８３０によって送信される第２パイロット信号は、第２ＣＲＳ及び／又は第２ＤＭＲＳを含む。
【０１９８】
本発明のこの実施形態では、プロセッサ８１０は処理モジュールによって実装されてもよく、メモリ８２０は記憶モジュールによって実装されてもよく、トランシーバ８３０はトランシーバ・モジュールによって実装されてもよいことに留意すべきである。図１２に示されるように、ネットワーク・デバイス９００は、処理モジュール９１０、記憶モジュール９２０、及びトランシーバ・モジュール９３０を含んでもよい。
【０１９９】
図１１に示されるネットワーク・デバイス８００又は図１２に示されるネットワーク・デバイス９００は、図５においてネットワーク・デバイスによって実行されるステップを実施することができる。繰り返しを避けるために、詳細はここでは再び説明されない。
【０２００】
図１３は、本発明の実施形態による通信装置１１００の概略ブロック図である。通信装置は、上記の端末デバイスであってもよく、通信装置の実施形態と方法の実施形態は互いに対応していることが理解されるべきである。類似する説明については、方法の実施形態を参照されたい。図１３に示されるように、通信装置１１００は、プロセッサ１１１０、メモリ１１２０、及びトランシーバ１１３０を含む。プロセッサ１１１０、メモリ１１２０、及びトランシーバ１１３０は、通信を通じて接続される。メモリ１１２０は、命令を格納する。プロセッサ１１１０は、メモリ１１２０に記憶されている命令を実行するように構成される。プロセッサ１１１０によって駆動されるトランシーバ１１３０は、特定の信号を送信又は受信するように構成される。
【０２０１】
トランシーバ１１３０は、ネットワーク・デバイスによって送信されたセカンダリ・セルのアクティベーション・コマンドを、第３時間ユニットで受信するように構成される。
【０２０２】
トランシーバ１１３０は、更に、ネットワーク・デバイスによって送信された第１パイロット信号を、第３時間ユニットから第１周期を利用して受信するように構成される。
【０２０３】
プロセッサ１１１０は、第４時間ユニットを決定するように構成され、第４時間ユニットは、最大アクティベーション時間が満了する時間ユニット、又は通信装置がネットワーク・デバイスにより送信されたスケジューリング・コマンドを受信する時間ユニットである。
【０２０４】
トランシーバ１１３０は、更に、第４時間ユニットの後に第２周期を利用して、ネットワーク・デバイスによって送信される第２パイロット信号を受信するように構成され、第２周期は第１周期よりも長い。
【０２０５】
本発明の本実施形態で提供される通信装置によれば、セカンダリ・セル・アクティベーション・プロセスにおいて、即ち、通信装置がアクティベーション・コマンド及びスケジューリング・コマンドを受信する時間期間において、通信装置は、比較的短い第１周期で第１パイロット信号を受信し、通信装置がダウンリンク同期に使用される第１パイロット信号を受信する確率が増加し、そのため、通信装置は、ダウンリンク同期をより早期に完了させ、ハードウェア準備作業を完了させることができ、即ちセカンダリ・セルのアクティベーションをより早期に完了させることができる。こうして、通信装置は、セカンダリ・セルが首尾よくアクティベートされていることを通知するために使用されるアップリンク信号を、ネットワーク・デバイスへより早期に送信することができ、セカンダリ・セルが首尾よくアクティベートされていることを知るためにネットワーク・デバイスにより使用される時間は短縮されることが可能であり、アクティベーション遅延は短縮されることが可能である。スケジューリング・コマンドを受信した後、通信装置は、比較的長い第２周期で第２パイロット信号を受信し、そのため、第２パイロット信号によって消費されるネットワーク・リソースは削減され、ネットワーク・リソースの消費及びアクティベーション遅延が、セカンダリ・セル・アクティベーション・プロセスにおいて、又はセカンダリ・セルがアクティベートされた後にアンバランスであるという問題を解決し、データ伝送効率及びユーザー体験を向上させる。
【０２０６】
通信装置１１００内のコンポーネントは通信によって接続され、即ち、プロセッサ１１１０、メモリ１１２０、トランシーバ１１３０は、制御信号及び／又はデータ信号を転送するために、内部接続経路を使用して互いに通信する。本願の前述の方法の実施形態はプロセッサに適用されてもよく、又はプロセッサは前述の方法の実施形態のステップを実行してもよい。プロセッサは、集積回路チップであってもよく、信号処理能力を有する。実装プロセスにおいて、前述の方法の実施形態のステップは、プロセッサ内のハードウェア集積論理回路を使用することによって、又はソフトウェアの形式で命令を使用することによって完了することができる。プロセッサは、ＣＰＵ、ネットワーク・プロセッサＮＰ、ＣＰＵとＮＰの組み合わせ、ＤＳＰ、ＡＳＩＣ、ＦＰＧＡ又は他のプログラマブル論理デバイス、個別ゲート又はトランジスタ論理デバイス、又は個別ハードウェア・コンポーネントであってもよい。本願において開示される方法、ステップ、及び論理ブロック図は、実装又は実行されることが可能である。汎用プロセッサはマイクロプロセッサであってもよく、又はプロセッサは任意の従来のプロセッサ等であってもよい。本願で開示される方法のステップは、ハードウェア復号化プロセッサを使用することによって直接的に実行及び完了されてもよいし、又は復号化プロセッサ内のハードウェア及びソフトウェア・モジュールの組み合わせを使用することによって実行及び完了されてもよい。ソフトウェア・モジュールは、ランダム・アクセス・メモリ、フラッシュ・メモリ、リード・オンリ・メモリ、プログラマブル・リード・オンリ・メモリ、電気的に消去可能なプログラマブル・メモリ、又はレジスタのような、当該技術分野で成熟している記憶媒体に配置することができる。記憶媒体はメモリに配置され、プロセッサはメモリ内の情報を読み込み、プロセッサのハードウェアとの組み合わせで前述の方法のステップを完了する。
【０２０７】
オプションとして、本発明の別の実施形態では、セカンダリ・セルのアクティベーション・コマンドを受信する前に、トランシーバ１１３０は、ネットワーク・デバイスによって送信されるセカンダリ・セルのコンフィギュレーション・メッセージを受信するように更に構成され、コンフィギュレーション・メッセージは、第１周期のコンフィギュレーション情報及び第２周期のコンフィギュレーション情報を含む。
【０２０８】
オプションとして、本発明の別の実施形態では、トランシーバ１１３０によって受信される第１パイロット信号は、第１復調リファレンス信号ＤＭＲＳ及び／又は第１ビーム・パイロット信号を含み、トランシーバ１１３０によって受信される第２パイロット信号は、第２ＤＭＲＳ及び／又は第２ビーム・パイロット信号を含む。
【０２０９】
本発明のこの実施形態では、プロセッサ１１００は処理モジュールによって実装されてもよいし、メモリ１１２０は記憶モジュールによって実装されてもよいし、トランシーバ１１３０はトランシーバ・モジュールによって実装されてもよいことに留意すべきである。図１４に示されるように、通信装置１２００は、処理モジュール１２１０、記憶モジュール１２２０、及びトランシーバ・モジュール１２３０を含んでもよい。
【０２１０】
図１３に示される通信装置１１００又は図１４に示される通信装置１２００は、図５において端末デバイスによって実行されるステップを実行することができる。繰り返しを避けるために、詳細はここでは再び説明されない。
【０２１１】
図１５は、本発明の実施形態による通信装置１３００の概略ブロック図である。通信装置は、上記の端末デバイスであってもよく、通信装置の実施形態と方法の実施形態は互いに対応していることが理解されるべきである。類似する説明については、方法の実施形態を参照されたい。図１５に示されるように、通信装置１３００は、プロセッサ１３１０、メモリ１３２０、及びトランシーバ１３３０を含む。プロセッサ１３１０、メモリ１３２０、及びトランシーバ１３３０は、通信を通じて接続される。メモリ１３２０は、命令を格納する。プロセッサ１３１０は、メモリ１３２０に記憶されている命令を実行するように構成される。プロセッサ１３１０によって駆動されるトランシーバ１３３０は、特定の信号を送信又は受信するように構成される。
【０２１２】
トランシーバ１３３０は、ネットワーク・デバイスにより送信される指示情報を受信するように構成され、この指示情報は、ハードウェア準備作業を開始するように通信装置に指示するために使用される。
【０２１３】
プロセッサ１３１０は、指示情報に基づいて、ＲＲＭメジャーメント、ＣＳＩメジャーメント、ダウンリンク同期、及びハードウェア準備作業のうちの少なくとも１つを開始するように構成される。
【０２１４】
トランシーバ１３３０は、更に、指示情報を受信した後に、ネットワーク・デバイスによって送信されるセカンダリ・セルのアクティベーション・コマンドを、第１時間ユニットで受信するように構成される。
【０２１５】
トランシーバ１３３０は、更に、第１時間ユニットから第１周期を利用して、第１パイロット信号をネットワーク・デバイスへ送信するように構成される。
【０２１６】
本発明のこの実施形態で提供される通信装置によれば、通信装置は、ネットワーク・デバイスにより送信されるセカンダリ・セルのアクティベーション・コマンドを受信するまで、ハードウェアの準備作業を開始することを待機する必要はなく、むしろセカンダリ・セルのアクティベーション・コマンドを受信する前であって、ネットワーク・デバイスにより送信された指示情報を受信した後に、ハードウェア準備作業を開始する。指示情報は代替的にアクティベーション・コマンドであってもよい。こうして、通信装置は、ハードウェア準備作業をより早期に完了することができる。セカンダリ・セルのアクティベーション・コマンドを受信した後、通信装置は、第１周期で第１アップリンク信号をネットワーク・デバイスへ送信し、その結果、ネットワーク・デバイスは、セカンダリ・セルが首尾よくアクティベートされていることをより早期に知ることができ、セカンダリ・セルが首尾よくアクティベートされていることを知るためにネットワーク・デバイスにより使用される時間は短縮され、アクティベーション遅延が短縮され、及びネットワーク・デバイスはセカンダリ・セルをより早期にスケジューリングすることができる。
【０２１７】
通信装置１３００におけるコンポーネントは、通信によって接続されており、即ちプロセッサ１３１０、メモリ１３２０、送受信機１３３０は、制御及び／又はデータ信号を転送するために、内部接続経路を使用することにより互いに通信する。本願の前述の方法の実施形態はプロセッサに適用されてもよく、又はプロセッサは前述の方法の実施形態のステップを実行する。プロセッサは集積回路チップであってもよく、信号処理能力を有する。実装プロセスにおいて、前述の方法の実施形態のステップは、プロセッサ内のハードウェア集積論理回路を使用することによって、又はソフトウェアの形式で命令を使用することによって完了することができる。プロセッサは、ＣＰＵ、ネットワーク・プロセッサＮＰ、ＣＰＵとＮＰの組み合わせ、ＤＳＰ、ＡＳＩＣ、ＦＰＧＡ又は他のプログラマブル論理デバイス、個別ゲート又はトランジスタ論理デバイス、又は個別ハードウェア・コンポーネントであってもよい。本願において開示される方法、ステップ、及び論理ブロック図は、実装又は実行されることが可能である。汎用プロセッサはマイクロプロセッサであってもよく、又はプロセッサは任意の従来のプロセッサ等であってもよい。本願で開示される方法のステップは、ハードウェア復号化プロセッサを使用することによって直接的に実行及び完了されてもよいし、又は復号化プロセッサ内のハードウェア及びソフトウェア・モジュールの組み合わせを使用することによって実行及び完了されてもよい。ソフトウェア・モジュールは、ランダム・アクセス・メモリ、フラッシュ・メモリ、リード・オンリ・メモリ、プログラマブル・リード・オンリ・メモリ、電気的に消去可能なプログラマブル・メモリ、又はレジスタのような、当該技術分野で成熟している記憶媒体に配置することができる。記憶媒体はメモリに配置され、プロセッサはメモリ内の情報を読み込み、プロセッサのハードウェアとの組み合わせで前述の方法のステップを完了する。
【０２１８】
オプションとして、本発明の別の実施形態では、プロセッサ１３１０は第２時間ユニットを決定するように更に構成され、第２時間ユニットは、最大アクティベーション時間が満了する時間ユニット、又はネットワーク・デバイスによって送信されるスケジューリング・コマンドが受信される時間ユニットである。トランシーバ１３３０は、更に、第２周期を利用して、又は第２時間ユニットの後のネットワーク・デバイスのスケジューリングに基づいて、第２アップリンク信号をネットワーク・デバイスへ送信するように構成され、第２周期は第１周期よりも長い。
【０２１９】
オプションとして、本発明の別の実施形態では、プロセッサ１３１０は、指示情報を受信した後に、ＲＲＭメジャーメント、ＣＳＩメジャーメント、ダウンリンク同期、及びハードウェア準備作業のうちの少なくとも１つを開始し、ハードウェア準備作業は、位相ロック・ループ調整、水晶発振器調整、自動利得制御、及び無線周波数チェーン・アクティベーションのうちの少なくとも１つを含むように、具体的に構成される。
【０２２０】
オプションとして、本発明の別の実施形態では、指示情報及びセカンダリ・セルのアクティベーション・コマンドは、ＭＡＣ  ＣＥの形式で送信されてもよいし、物理レイヤ・シグナリングの形式で送信されてもよい。
【０２２１】
オプションとして、本発明の別の実施形態では、指示情報を受信する前に、トランシーバ１３３０は、ネットワーク・デバイスにより送信されるセカンダリ・セルのコンフィギュレーション・メッセージを受信するように更に構成され、セカンダリ・セルのコンフィギュレーション・メッセージは、ＲＲＭメジャーメントの周期情報、ＣＳＩメジャーメントの周期、第１周期のコンフィギュレーション、及び第２周期のコンフィギュレーション情報のうちの少なくとも１つを含む。
【０２２２】
オプションとして、本発明の別の実施形態では、第１アップリンク信号は、第１チャネル状態情報ＣＳＩ及び／又は第１サウンディング・リファレンス信号ＳＲＳを含み、第２アップリンク信号は、第２ＣＳＩ及び／又は第２ＳＲＳを含む。
【０２２３】
本発明のこの実施形態では、プロセッサ１３００は処理モジュールによって実装されてもよいし、メモリ１３２０は記憶モジュールによって実装されてもよいし、トランシーバ１３３０はトランシーバ・モジュールによって実装されてもよいことに留意すべきである。図１６に示されるように、通信装置１４００は、処理モジュール１４１０、記憶モジュール１４２０、及びトランシーバ・モジュール１４３０を含んでもよい。
【０２２４】
図１５に示される通信装置１３００又は図１６に示される通信装置１４００は、図６において端末デバイスによって実行されるステップを実行することができる。繰り返しを避けるために、詳細はここで再び説明されない。
【０２２５】
図１７は、本発明の実施形態によるネットワーク・デバイスの概略ブロック図である。ネットワーク・デバイスの実施形態と方法の実施形態は互いに対応していることが理解されるべきである。類似する説明については、方法の実施形態を参照されたい。図１７に示されるネットワーク・デバイスは、図６においてネットワーク・デバイスにより実行される対応するステップを実行するように構成されることが可能である。ネットワーク・デバイス１５００は：プロセッサ１５１０、メモリ１５２０、及びトランシーバ１５３０を含む。プロセッサ１５１０、メモリ１５２０、及びトランシーバ１５３０は、通信を通じて接続される。メモリ１５２０は、命令を格納する。プロセッサ１５１０は、メモリ１５２０に記憶されている命令を実行するように構成される。プロセッサ１５１０によって駆動されるトランシーバ１５３０は、特定の信号を送信又は受信するように構成される。
【０２２６】
トランシーバ１５３０は、指示情報を端末デバイスへ送信するように構成され、指示情報は、ハードウェア準備作業を開始するように端末デバイスに指示するために使用される。
【０２２７】
トランシーバ１５３０は、指示情報を送信した後に、セカンダリ・セルのアクティベーション・コマンドを端末デバイスへ、第１時間ユニットで送信するように更に構成される。
【０２２８】
トランシーバ１５３０は、更に、第１時間ユニットから第１周期を利用して、端末デバイスにより送信される第１パイロット信号を受信するように構成される。
【０２２９】
本発明のこの実施形態で提供されるネットワーク・デバイスによれば、セカンダリ・セルのアクティベーション・コマンドを端末デバイスへ送信する前に、ネットワーク・デバイスは指示情報を端末デバイスへ送信し、指示情報は、ハードウェア準備作業を開始するために端末デバイスによって使用される。端末デバイスは、ネットワーク・デバイスにより送信されるセカンダリ・セルのアクティベーション・コマンドを受信するまで、ハードウェア準備作業を開始することを待機する必要はなく、むしろセカンダリ・セルのアクティベーション・コマンドを受信する前に、ハードウェア準備作業を開始する。指示情報は、代替的に、アクティベーション・コマンドであってもよい。こうして、端末デバイスはハードウェア準備作業をより早期に完了することができる。ネットワーク・デバイスがセカンダリ・セルのアクティベーション・コマンドを送信した後に、端末デバイスは、第１周期で第１アップリンク信号をネットワーク・デバイスへ送信し、その結果、ネットワーク・デバイスは、セカンダリ・セルが首尾よくアクティベートされていることをより早期に知ることができ、セカンダリ・セルが首尾よくアクティベートされていることを知るためにネットワーク・デバイスにより使用される時間は短縮され、アクティベーション遅延が短縮され、及びネットワーク・デバイスはセカンダリ・セルをより早期にスケジューリングすることができる。
【０２３０】
ネットワーク・デバイス１５００内のコンポーネントは、通信によって接続され、即ち、プロセッサ１５１０、メモリ１５２０、及びトランシーバ１５３０は、制御及び／又はデータ信号を転送するために、内部接続経路を使用することにより互いに通信する。本願の前述の方法の実施形態はプロセッサに適用されてもよく、又はプロセッサは前述の方法の実施形態のステップを実行する。プロセッサは、集積回路チップであってもよく、信号処理能力を有する。実装プロセスにおいて、前述の方法の実施形態のステップは、プロセッサ内のハードウェア集積論理回路を使用することによって、又はソフトウェアの形式で命令を使用することによって完了することができる。プロセッサは、ＣＰＵ、ネットワーク・プロセッサＮＰ、ＣＰＵとＮＰの組み合わせ、ＤＳＰ、ＡＳＩＣ、ＦＰＧＡ又は他のプログラマブル論理デバイス、個別ゲート又はトランジスタ論理デバイス、又は個別ハードウェア・コンポーネントであってもよい。本願において開示される方法、ステップ、及び論理ブロック図は、実装又は実行されることが可能である。汎用プロセッサはマイクロプロセッサであってもよく、又はプロセッサは任意の従来のプロセッサ等であってもよい。本願で開示される方法のステップは、ハードウェア復号化プロセッサを使用することによって直接的に実行及び完了されてもよく、又は復号化プロセッサ内のハードウェア及びソフトウェア・モジュールの組み合わせを使用することによって実行及び完了されてもよい。ソフトウェア・モジュールは、ランダム・アクセス・メモリ、フラッシュ・メモリ、リード・オンリ・メモリ、プログラマブル・リード・オンリ・メモリ、電気的に消去可能なプログラマブル・メモリ、又はレジスタのような、当該技術分野で成熟している記憶媒体に配置することができる。記憶媒体はメモリに配置され、プロセッサはメモリ内の情報を読み込み、プロセッサのハードウェアとの組み合わせで前述の方法のステップを完了する。
【０２３１】
オプションとして、本発明の別の実施形態では、プロセッサ１５１０は第２時間ユニットを決定するように構成され、第２時間ユニットは、最大アクティベーション時間が満了する時間ユニット、又はネットワーク・デバイスによって送信されたスケジューリング・コマンドが受信される時間ユニットである。トランシーバ１５３０は、更に、第２周期を利用して、又は第２時間ユニットの後のネットワーク・デバイスのスケジューリングに基づいて、端末デバイスによって送信された第２アップリンク信号を受信するように構成され、第２周期は第１周期よりも長い。
【０２３２】
オプションとして、本発明の別の実施形態では、指示情報を送信する前に、トランシーバ１５３０は、セカンダリ・セルのコンフィギュレーション・メッセージを端末デバイスへ送信するように更に構成され、セカンダリ・セルのコンフィギュレーション・メッセージは、ＲＲＭメジャーメントの周期情報、ＣＳＩメジャーメントの周期、第１周期のコンフィギュレーション、及び第２周期のコンフィギュレーション情報のうちの少なくとも１つを含む。
【０２３３】
オプションとして、本発明の別の実施形態では、指示情報及びセカンダリ・セルのアクティベーション・コマンドは、ＭＡＣ  ＣＥの形式で送信されてもよいし、又は物理レイヤ・シグナリングの形式で送信されてもよい。
【０２３４】
オプションとして、本発明の別の実施形態では、第１アップリンク信号は、第１チャネル状態情報ＣＳＩ及び／又は第１サウンディング・リファレンス信号ＳＲＳを含み、第２アップリンク信号は、第２ＣＳＩ及び／又は第２ＳＲＳを含む。
【０２３５】
本発明のこの実施形態では、プロセッサ１５１０は処理モジュールによって実装されてもよいし、メモリ１５２０は記憶モジュールによって実装されてもよいし、トランシーバ１５３０はトランシーバ・モジュールによって実装されてもよいことに留意すべきである。図１８に示されるように、ネットワーク・デバイス１６００は、処理モジュール１６１０、記憶モジュール１６２０、及びトランシーバ・モジュール１６３０を含んでもよい。
【０２３６】
図１７に示されるネットワーク・デバイス１５００又は図１８に示されるネットワーク・デバイス１６００は、図６においてネットワーク・デバイスによって実行されるステップを実行することができる。繰り返しを避けるために、詳細はここでは再び説明されない。
【０２３７】
本発明の実施形態は、更に、コンピュータ・プログラム・コードを格納するように構成されたコンピュータ読み取り可能な媒体を提供し、コンピュータ・プログラムは、図４、図５、及び図６の本発明の実施形態においてセカンダリ・セルをアクティベートする方法を実行するために使用される命令を含む。読み取り可能な媒体は、リード・オンリ・メモリ（ｒｅａｄ−ｏｎｌｙ  ｍｅｍｏｒｙ，ＲＯＭ）又はランダム・アクセス・メモリ（ｒａｎｄｏｍ  ａｃｃｅｓｓ  ｍｅｍｏｒｙ，ＲＡＭ）であってもよい。これは本願のこの実施態様で限定されない。
【０２３８】
本発明の実施形態は通信システムを更に提供する。通信システムは、本発明の前述の実施形態で提供される端末デバイスと、本発明の前述の実施形態で提供されるネットワーク・デバイスとを含む。通信システムは、本発明の実施形態のうちの何れか１つに従って、セカンダリ・セルをアクティベートする方法を完了することができる。
【０２３９】
本明細書における「及び／又は」及び「Ａ又はＢのうちの少なくとも１つ」という用語は、関連付けられる対象物に対する関連関係のみを描写しているに過ぎず、３つの関係が存在し得ることを表すことが、理解されるべきである。例えば、Ａ及び／又はＢは以下の３つのケース：Ａのみが存在する、Ａ及びＢの両方が存在する、そしてＢのみが存在することを表す。更に、本明細書における文字「／」は、一般的に、関連付けられている対象物の間で「又は」の関係を示す。
【０２４０】
当業者は、本明細書で開示される実施形態に記載された具体例との組み合わせにおいて、ユニット及びアルゴリズム・ステップは、電子ハードウェア、又はコンピュータ・ソフトウェアと電子ハードウェアとの組み合わせによって実装されてもよいことを認識するであろう。機能がハードウェア又はソフトウェアによって実行されるかどうかは、特定のアプリケーション及び技術的ソリューションの設計制約条件に依存する。当業者は、特定のアプリケーションそれぞれについて、説明された機能を実装するために様々な方法を利用することが可能であるが、その実装が本願の範囲を超えるものであると考えるべきではない。
【０２４１】
便宜的かつ簡潔な説明のために、前述のシステム、装置、及びユニットの詳細な作業プロセスについては、前述の方法の実施形態における対応するプロセスを参照されたい、ということは当業者に明らかに理解されるであろうし、詳細はここでは再び説明されない。
【０２４２】
本願で提供される幾つかの実施形態において、開示されたシステム、装置、及び方法は、他の方法で実装されてもよいことが理解されるべきである。例えば、説明された装置の実施形態は単なる具体例に過ぎない。例えば、ユニットの区分は、単なる論理的な機能の区分であり、実際の実装では他の区分であってもよい。例えば、複数のユニット又はコンポーネントは別のシステムに結合又は統合されてもよく、あるいは幾つかの特徴は無視され又は実行されなくてもよい。更に、図示又は議論された相互結合、直接的な結合、又は通信接続は、幾つかのインタフェースを使用することによって実装されてもよい。装置又はユニット間の間接的な結合又は通信接続は、電気的、機械的、又は他の形態で実装されてもよい。
【０２４３】
別個のパーツとして描写されているユニットは、物理的に分離されていてもいなくてもよく、ユニットとして図示されるパーツは、物理的なユニットであってもなくてもよく、一カ所に配置されてもよく、あるいは複数のネットワーク・ユニットに分散されてもよい。ユニットの一部又は全ては、実施形態のソリューションの目的を達成するために、実際の要件に基づいて選択されることが可能である。
【０２４４】
更に、本願の実施形態における機能ユニットは、１つの処理ユニットに統合されてもよいし、あるいは各ユニットが物理的に単独で存在してもよいし、２つ以上のユニットが１つのユニットに統合されてもよい。
【０２４５】
機能は、ソフトウェア機能ユニットの形式で実装され、独立した製品として販売又は使用される場合、その機能はコンピュータ読み取り可能な記憶媒体に格納されてもよい。このような理解に基づいて、本願の技術的ソリューションは本質的に、又は従来技術に貢献する部分は、又は技術的ソリューションの一部分は、ソフトウェア製品の形式で実装されてもよい。ソフトウェア製品は、記憶媒体に記憶され、本願の実施形態で説明される方法のステップの全部又は一部を実行するようにコンピュータ装置（パーソナル・コンピュータ、サーバ、ネットワーク・デバイス等であってもよい）に指示するための幾つかの命令を含む。前述の記憶媒体は：ＵＳＢフラッシュ・ドライブ、リムーバブル・ハード・ディスク、ＲＯＭ、ＲＡＭ、磁気ディスク、又は光ディスク等のプログラム・コードを格納することが可能な任意の媒体を含む。
【０２４６】
前述の説明は、本願の単なる具体的な実装に過ぎず、本願の保護範囲を限定するようには意図されていない。本願で開示された技術的範囲内で当業者により容易に理解される如何なる変形又は置換も、本願の保護範囲内に該当する。従って本願の保護範囲は特許請求の範囲の保護範囲に従うものとする。
【図１】
2020530735.tif 000003
【図２】
2020530735.tif 000004
【図３】
2020530735.tif 000005
【図４】
2020530735.tif 000006
【図５】
2020530735.tif 000007
【図６】
2020530735.tif 000008
【図７】
2020530735.tif 000009
【図８】
2020530735.tif 000010
【図９】
2020530735.tif 000011
【図１０】
2020530735.tif 000012
【図１１】
2020530735.tif 000013
【図１２】
2020530735.tif 000014
【図１３】
2020530735.tif 000015
【図１４】
2020530735.tif 000016
【図１５】
2020530735.tif 000017
【図１６】
2020530735.tif 000018
【図１７】
2020530735.tif 000019
【図１８】
2020530735.tif 000020
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
セカンダリ・セルをアクティベートする方法であって：
ネットワーク・デバイスにより送信されたセカンダリ・セルのアクティベーション・コマンドを受信した後に、第１時間ユニットから第１周期を利用して第１アップリンク信号を前記ネットワーク・デバイスへ、端末デバイスにより送信するステップ；
前記端末デバイスにより、第２時間ユニットを決定するステップであって、前記第２時間ユニットは、最大アクティベーション時間が満了する時間ユニット、又は前記ネットワーク・デバイスにより送信されたスケジューリング・コマンドが受信される時間ユニットである、ステップ；及び
前記第２時間ユニットの後に前記ネットワーク・デバイスのスケジューリングに基づいて又は第２周期を利用して第２アップリンク信号を前記ネットワーク・デバイスへ、前記端末デバイスにより送信するステップであって、前記第２周期は前記第１周期より長い、ステップ；
を含む方法。
【請求項２】
前記端末デバイスが前記セカンダリ・セルの前記アクティベーション・コマンドを受信する前に、前記方法は：
前記ネットワーク・デバイスにより送信された前記セカンダリ・セルのコンフィギュレーション・メッセージを、前記端末デバイスにより受信するステップであって、前記コンフィギュレーション・メッセージは、前記第２周期のコンフィギュレーション情報、前記ネットワーク・デバイスの前記スケジューリングのコンフィギュレーション情報、及び前記第１周期のコンフィギュレーション情報のうちの少なくとも１つを含む、ステップ；
を更に含む、請求項１に記載の方法。
【請求項３】
前記第１アップリンク信号は、第１チャネル状態情報ＣＳＩ及び／又は第１サウンディング・リファレンス信号ＳＲＳを含み、前記第２アップリンク信号は、第２ＣＳＩ及び／又は第２ＳＲＳを含む、請求項１又は２に記載の方法。
【請求項４】
前記第１時間ユニットは、前記端末デバイスが前記第１アップリンク信号を前記ネットワーク・デバイスへ送信することが可能な時間ユニットである、請求項１−３のうちの何れか１項に記載の方法。
【請求項５】
セカンダリ・セルをアクティベートする方法であって：
ネットワーク・デバイスがセカンダリ・セルのアクティベーション・コマンドを端末デバイスへ送信した後に、第１時間ユニットから第１周期を利用して、前記端末デバイスにより送信された第１アップリンク信号を、前記ネットワーク・デバイスにより受信するステップ；
前記ネットワーク・デバイスにより、第２時間ユニットを決定するステップであって、前記第２時間ユニットは、最大アクティベーション時間が満了する時間ユニット、又はスケジューリング・コマンドが前記端末デバイスへ送信される時間ユニットである、ステップ；及び
前記第２時間ユニットの後に前記ネットワーク・デバイスのスケジューリングに基づいて又は第２周期を利用して、前記端末デバイスにより送信された第２アップリンク信号を、前記ネットワーク・デバイスにより受信するステップであって、前記第２周期は前記第１周期より長い、ステップ；
を含む方法。
【請求項６】
前記ネットワーク・デバイスが前記セカンダリ・セルの前記アクティベーション・コマンドを前記端末デバイスへ送信する前に、前記方法は：
前記ネットワーク・デバイスにより、前記セカンダリ・セルのコンフィギュレーション・メッセージを前記端末デバイスへ送信するステップであって、前記コンフィギュレーション・メッセージは、前記第２周期のコンフィギュレーション情報、前記ネットワーク・デバイスの前記スケジューリングのコンフィギュレーション情報、及び前記第１周期のコンフィギュレーション情報のうちの少なくとも１つを含む、ステップ；
を更に含む、請求項５に記載の方法。
【請求項７】
前記第１アップリンク信号は、第１チャネル状態情報ＣＳＩ及び／又は第１サウンディング・リファレンス信号ＳＲＳを含み、前記第２アップリンク信号は、第２ＣＳＩ及び／又は第２ＳＲＳを含む、請求項５又は６に記載の方法。
【請求項８】
前記第１時間ユニットは、前記端末デバイスが前記第１アップリンク信号を前記ネットワーク・デバイスへ送信することが可能な時間ユニットである、請求項５−７のうちの何れか１項に記載の方法。
【請求項９】
プロセッサと、トランシーバと、メモリとを含む通信装置であって、前記メモリは命令を格納するように構成され、前記プロセッサは、前記メモリに格納された前記命令を実行し、信号を受信又は送信するように前記トランシーバを制御するように構成され；
前記トランシーバは、ネットワーク・デバイスにより送信されたセカンダリ・セルのアクティベーション・コマンドを受信した後に、第１時間ユニットから第１周期を利用して第１アップリンク信号を前記ネットワーク・デバイスへ送信するように構成され；
前記プロセッサは、第２時間ユニットを決定するように構成され、前記第２時間ユニットは、最大アクティベーション時間が満了する時間ユニット、又は前記ネットワーク・デバイスにより送信されたスケジューリング・コマンドが受信される時間ユニットであり；及び
前記トランシーバは、前記第２時間ユニットの後に前記ネットワーク・デバイスのスケジューリングに基づいて又は第２周期を利用して第２アップリンク信号を前記ネットワーク・デバイスへ送信するように更に構成され、前記第２周期は前記第１周期より長い、通信装置。
【請求項１０】
前記セカンダリ・セルの前記アクティベーション・コマンドを受信する前に、前記トランシーバは、前記ネットワーク・デバイスにより送信された前記セカンダリ・セルのコンフィギュレーション・メッセージを受信するように更に構成され、前記コンフィギュレーション・メッセージは、前記第２周期のコンフィギュレーション情報、前記ネットワーク・デバイスの前記スケジューリングのコンフィギュレーション情報、及び前記第１周期のコンフィギュレーション情報のうちの少なくとも１つを含む、請求項９に記載の通信装置。
【請求項１１】
前記トランシーバにより送信される前記第１アップリンク信号は、第１チャネル状態情報ＣＳＩ及び／又は第１サウンディング・リファレンス信号ＳＲＳを含み、前記トランシーバにより送信される前記第２アップリンク信号は、第２ＣＳＩ及び／又は第２ＳＲＳを含む、請求項９又は１０に記載の通信装置。
【請求項１２】
前記第１時間ユニットは、前記通信装置が前記第１アップリンク信号を前記ネットワーク・デバイスへ送信することが可能な時間ユニットである、請求項９−１１のうちの何れか１項に記載の通信装置。
【請求項１３】
プロセッサと、トランシーバと、メモリとを含むネットワーク・デバイスであって、前記メモリは命令を格納するように構成され、前記プロセッサは、前記メモリに格納された前記命令を実行し、信号を受信又は送信するように前記トランシーバを制御するように構成され；
前記トランシーバは、セカンダリ・セルのアクティベーション・コマンドを端末デバイスへ送信した後に、第１時間ユニットから第１周期を利用して、前記端末デバイスにより送信された第１アップリンク信号を受信するように構成され；
前記プロセッサは、第２時間ユニットを決定するように構成され、前記第２時間ユニットは、最大アクティベーション時間が満了する時間ユニット、又はスケジューリング・コマンドが前記端末デバイスへ送信される時間ユニットであり；及び
前記トランシーバは、前記第２時間ユニットの後に前記ネットワーク・デバイスのスケジューリングに基づいて又は第２周期を利用して、前記端末デバイスにより送信された第２アップリンク信号を受信するように更に構成され、前記第２周期は前記第１周期より長い、ネットワーク・デバイス。
【請求項１４】
前記セカンダリ・セルの前記アクティベーション・コマンドを送信する前に、前記トランシーバは、前記セカンダリ・セルのコンフィギュレーション・メッセージを前記端末デバイスへ送信するように更に構成され、前記コンフィギュレーション・メッセージは、前記第２周期のコンフィギュレーション情報、前記ネットワーク・デバイスの前記スケジューリングのコンフィギュレーション情報、及び前記第１周期のコンフィギュレーション情報のうちの少なくとも１つを含む、請求項１３に記載のネットワーク・デバイス。
【請求項１５】
前記トランシーバにより受信される前記第１アップリンク信号は、第１チャネル状態情報ＣＳＩ及び／又は第１サウンディング・リファレンス信号ＳＲＳを含み、前記トランシーバにより受信される前記第２アップリンク信号は、第２ＣＳＩ及び／又は第２ＳＲＳを含む、請求項１３又は１４に記載のネットワーク・デバイス。
【請求項１６】
前記第１時間ユニットは、前記端末デバイスが前記第１アップリンク信号を前記ネットワーク・デバイスへ送信することが可能な時間ユニットである、請求項１３−１５うちの何れか１項に記載のネットワーク・デバイス。
【請求項１７】
コンピュータ・プログラムを格納するように構成されたコンピュータ読み取り可能な記憶媒体であって、前記コンピュータ・プログラムは、請求項１−８のうちの何れか１項に記載のセカンダリ・セルをアクティベートする方法の命令を実行するために使用される、記憶媒体。
【請求項１８】
少なくとも１つのプロセッサ及びメモリを含む通信装置であって、前記メモリはコンピュータ・プログラムを格納し、前記少なくとも１つのプロセッサは、請求項１−８のうちの何れか１項に記載の方法を実現するように前記コンピュータ・プログラムを実行する、通信装置。
【手続補正２】
【補正対象書類名】明細書
【補正対象項目名】０１７９
【補正方法】変更
【補正の内容】
【０１７９】
トランシーバ６３０は：セカンダリ・セルのアクティベーション・コマンドを端末デバイスへ送信した後に、ネットワーク・デバイスによって送信された第１アップリンク信号を、第１時間ユニットから第１周期を利用して受信するように構成される。
【国際調査報告】
2020530735.tif 000021
2020530735.tif 000022
2020530735.tif 000023
2020530735.tif 000024